(57)【要約】【課題】ボイラ効率のよい状態で運転させられるボイラシステムを提供すること。【解決手段】複数のボイラ２０を備えるボイラ群２と制御部４とを備えるボイラシステム１であって、複数のボイラ２０には、第１エコ運転ゾーンＺ１と第２エコ運転ゾーンＺ２と通常運転ゾーンＺ３とが設定され、第２エコ運転ゾーンＺ２は、上側第２エコ運転ゾーンＺ２１と下側第２エコ運転ゾーンＺ２２とを備え、通常運転ゾーンＺ３は、上側通常運転ゾーンＺ３１と下側通常運転ゾーンＺ３２とを備え、制御部４は、上側通常運転ゾーンＺ３１の状態が第１の時間Ｔ１継続した場合に、燃焼ボイラ２０の台数を増加させるとボイラ２０の負荷率が下側通常運転ゾーンＺ３２に位置するかを判定する判定部４１と、ボイラ２０の負荷率が下側通常運転ゾーンＺ３２に位置しないと判定された場合に、燃焼ボイラ２０の台数を増加させるボイラ台数制御部４２と、を備える。【選択図】図１
2014098503.tif 000002
【特許請求の範囲】
【請求項１】
負荷率を連続的に変更して燃焼可能な複数のボイラを備えるボイラ群と、要求負荷に応じて前記ボイラ群の燃焼状態を制御する制御部と、を備えるボイラシステムであって、
前記複数のボイラには、
ボイラ効率が第１閾値よりも高くなる負荷率の範囲である第１エコ運転ゾーンと、
ボイラ効率が前記第１閾値と該第１閾値よりも低い第２閾値との間となる負荷率の範囲である第２エコ運転ゾーンと、
ボイラ効率が前記第２閾値よりも低くなる負荷率の範囲である通常運転ゾーンと、が設定され、かつ、
前記第２エコ運転ゾーンは、前記第１エコ運転ゾーンよりも負荷率の高い範囲に位置する上側第２エコ運転ゾーンと、前記第１エコ運転ゾーンよりも負荷率の低い範囲に位置する下側第２エコ運転ゾーンと、を備え、
前記通常運転ゾーンは、前記上側第２エコ運転ゾーンよりも負荷率の高い範囲に位置する上側通常運転ゾーンと、前記下側第２エコ運転ゾーンよりも負荷率の低い範囲に位置する下側通常運転ゾーンと、を備え、
前記制御部は、
前記ボイラの負荷率が前記上側通常運転ゾーンに位置する状態が第１の時間継続した場合に、燃焼させるボイラの台数を一台増加させると既に燃焼しているボイラの負荷率が下側通常運転ゾーンに位置することになるか否かを判定する判定部と、
前記判定部により既に燃焼しているボイラの負荷率が下側通常運転ゾーンに位置しないと判定された場合に、燃焼させるボイラの台数を一台増加させるボイラ台数制御部と、を備えるボイラシステム。
【請求項２】
前記判定部は、前記ボイラの負荷率が前記上側通常運転ゾーン又は前記上側第２エコ運転ゾーンに位置する状態が前記第１の時間よりも長い第２の時間継続した場合に、燃焼させるボイラの台数を一台増加させると既に燃焼しているボイラの負荷率が前記下側通常運転ゾーン又は前記下側第２エコ運転ゾーンに位置することになるか否かを判定し、
前記ボイラ台数制御部は、前記判定部により既に燃焼しているボイラの負荷率が前記下側通常運転ゾーン又は前記下側第２エコ運転ゾーンに位置しないと判定された場合に、燃焼させるボイラの台数を一台増加させる請求項１に記載のボイラシステム。
【請求項３】
前記複数のボイラには、最も小さい燃焼状態における負荷率である最小負荷率が設定されており、
前記ボイラ台数制御部は、燃焼させるボイラの台数を増加させる場合、新たに燃焼させるボイラを前記最小負荷率で燃焼させる請求項１又は２に記載のボイラシステム。
【請求項４】
前記ボイラ台数制御部は、燃焼させるボイラの台数を増加させる場合、新たに燃焼させるボイラを前記下側第２エコ運転ゾーンの範囲の負荷率で燃焼させる請求項１又は２に記載のボイラシステム。
【請求項５】
前記判定部は、前記ボイラの負荷率が前記下側通常運転ゾーンに位置する状態で第３の時間継続した場合に、燃焼させるボイラの台数を一台減少させると燃焼を継続するボイラの負荷率が前記上側通常運転ゾーンに位置することになるか否かを判定し、
前記ボイラ台数制御部は、前記判定部により燃焼を継続するボイラの負荷率が前記上側通常運転ゾーンに位置しないと判定された場合に、燃焼させるボイラの台数を一台減少させる請求項１〜４のいずれかに記載のボイラシステム。
【請求項６】
前記判定部は、前記ボイラの負荷率が前記下側通常運転ゾーン又は前記下側第２エコ運転ゾーンに位置する状態が前記第３の時間よりも長い第４の時間継続した場合に、燃焼させるボイラの台数を一台減少させると燃焼を継続するボイラの負荷率が前記上側通常運転ゾーン又は前記上側第２エコ運転ゾーンに位置することになるか否かを判定し、
前記ボイラ台数制御部は、前記判定部により燃焼を継続するボイラの負荷率が前記上側通常運転ゾーン又は前記上側第２エコ運転ゾーンに位置しないと判定された場合に、燃焼させるボイラの台数を一台減少させる請求項１〜５のいずれかに記載のボイラシステム。
【請求項７】
負荷率を連続的に変更して燃焼可能な複数のボイラを備えるボイラ群と、要求負荷に応じて前記ボイラ群の燃焼状態を制御する制御部と、を備えるボイラシステムであって、
前記複数のボイラには、
ボイラ効率が第１閾値よりも高くなる負荷率の範囲である第１エコ運転ゾーンと、
ボイラ効率が前記第１閾値と該第１閾値よりも低い第２閾値との間となる負荷率の範囲である第２エコ運転ゾーンと、
ボイラ効率が前記第２閾値よりも低くなる負荷率の範囲である通常運転ゾーンと、が設定され、かつ、
前記第２エコ運転ゾーンは、前記第１エコ運転ゾーンよりも負荷率の高い範囲に位置する上側第２エコ運転ゾーンと、前記第１エコ運転ゾーンよりも負荷率の低い範囲に位置する下側第２エコ運転ゾーンと、を備え、
前記通常運転ゾーンは、前記上側第２エコ運転ゾーンよりも負荷率の高い範囲に位置し、
前記制御部は、
前記ボイラの負荷率が前記通常運転ゾーンに位置する状態が第１の時間継続した場合に、燃焼させるボイラの台数を一台増加させるボイラシステム。
【請求項８】
前記制御部は、前記ボイラの負荷率が前記通常運転ゾーン又は前記上側第２エコ運転ゾーンに位置する状態が前記第１の時間よりも長い第２の時間継続した場合に、燃焼させるボイラの台数を一台増加させると既に燃焼しているボイラの負荷率が前記下側第２エコ運転ゾーンに位置することになるか否かを判定し、
既に燃焼しているボイラの負荷率が前記下側第２エコ運転ゾーンに位置しないと判定された場合に、燃焼させるボイラの台数を一台増加させる請求項７に記載のボイラシステム。
【請求項９】
前記制御部は、前記ボイラの負荷率が前記下側第２エコ運転ゾーンに位置する状態が第４の時間継続した場合に、燃焼させるボイラの台数を一台減少させると燃焼を継続するボイラの負荷率が前記通常運転ゾーン又は前記上側第２エコ運転ゾーンに位置することになるか否かを判定し、
燃焼を継続するボイラの負荷率が前記通常運転ゾーン又は前記上側第２エコ運転ゾーンに位置しないと判定された場合に、燃焼させるボイラの台数を一台減少させる請求項７又は８に記載のボイラシステム。
【請求項１０】
負荷率を連続的に変更して燃焼可能な複数のボイラを備えるボイラ群と、要求負荷に応じて前記ボイラ群の燃焼状態を制御する制御部と、を備えるボイラシステムであって、
前記複数のボイラには、
ボイラ効率が第１閾値よりも高くなる負荷率の範囲である第１エコ運転ゾーンと、
ボイラ効率が前記第１閾値と該第１閾値よりも低い第２閾値との間となる負荷率の範囲である第２エコ運転ゾーンと、
ボイラ効率が前記第２閾値よりも低くなる負荷率の範囲である通常運転ゾーンと、が設定され、かつ、
前記第２エコ運転ゾーンは、前記第１エコ運転ゾーンよりも負荷率の高い範囲に位置する上側第２エコ運転ゾーンと、前記第１エコ運転ゾーンよりも負荷率の低い範囲に位置する下側第２エコ運転ゾーンと、を備え、
前記通常運転ゾーンは、前記下側第２エコ運転ゾーンよりも負荷率の低い範囲に位置し、
前記制御部は、
前記ボイラの負荷率が前記通常運転ゾーンに位置する状態で第３の時間継続した場合に、燃焼させるボイラの台数を一台減少させるボイラシステム。
【請求項１１】
前記制御部は、前記ボイラの負荷率が前記通常運転ゾーン又は前記下側第２エコ運転ゾーンに位置する状態が前記第３の時間よりも長い第４の時間継続した場合に、燃焼させるボイラの台数を一台減少させると燃焼を継続するボイラの負荷率が前記上側第２エコ運転ゾーンに位置することになるか否かを判定し、
燃焼を継続するボイラの負荷率が前記上側第２エコ運転ゾーンに位置しないと判定された場合に、燃焼させるボイラの台数を一台減少させる請求項１０に記載のボイラシステム。
【請求項１２】
前記制御部は、前記ボイラの負荷率が前記上側第２エコ運転ゾーンに位置する状態が第２時間継続した場合に、燃焼させるボイラの台数を一台増加させると既に燃焼しているボイラの負荷率が前記通常運転ゾーン又は前記下側第２エコ運転ゾーンに位置することになるか否かを判定し、
既に燃焼しているボイラの負荷率が前記通常運転ゾーン又は前記下側第２エコ運転ゾーンに位置しないと判定された場合に、燃焼させるボイラの台数を一台増加させる請求項１０又は１１に記載のボイラシステム。
【請求項１３】
負荷率を連続的に変更して燃焼可能な複数のボイラを備えるボイラ群と、要求負荷に応じて前記ボイラ群の燃焼状態を制御する制御部と、を備えるボイラシステムであって、
前記複数のボイラには、
ボイラ効率が第１閾値よりも高くなる負荷率の範囲である第１エコ運転ゾーンと、
ボイラ効率が前記第１閾値と該第１閾値よりも低い第２閾値との間となる負荷率の範囲である第２エコ運転ゾーンと、
ボイラ効率が前記第２閾値よりも低くなる負荷率の範囲である通常運転ゾーンと、が設定され、かつ、
前記第２エコ運転ゾーンは、前記第１エコ運転ゾーンよりも負荷率の低い範囲に位置すると共に、前記通常運転ゾーンは、前記第２エコ運転ゾーンよりも負荷率の低い範囲に位置し、
前記制御部は、
前記ボイラの負荷率が前記通常運転ゾーンに位置する状態が第３の時間継続した場合、燃焼させるボイラの台数を一台減少させるボイラシステム。
【請求項１４】
前記制御部は、前記ボイラの負荷率が前記通常運転ゾーン又は前記第２エコ運転ゾーンに位置する状態が前記第３の時間よりも長い第４の時間継続した場合、燃焼させるボイラの台数を一台減少させる請求項１３に記載のボイラシステム。
【請求項１５】
負荷率を連続的に変更して燃焼可能な複数のボイラを備えるボイラ群と、要求負荷に応じて前記ボイラ群の燃焼状態を制御する制御部と、を備えるボイラシステムであって、
前記複数のボイラには、
ボイラ効率が第１閾値よりも高くなる負荷率の範囲である第１エコ運転ゾーンと、
ボイラ効率が前記第１閾値と該第１閾値よりも低い第２閾値との間となる負荷率の範囲である第２エコ運転ゾーンと、
ボイラ効率が前記第２閾値よりも低くなる負荷率の範囲である通常運転ゾーンと、が設定され、かつ、
前記第２エコ運転ゾーンは、前記第１エコ運転ゾーンよりも負荷率の高い範囲に位置すると共に、前記通常運転ゾーンは、前記第２エコ運転ゾーンよりも負荷率の高い範囲に位置し、
前記制御部は、
前記ボイラの負荷率が前記通常運転ゾーンに位置する状態が第１の時間継続した場合、燃焼させるボイラの台数を一台増加させるボイラシステム。
【請求項１６】
前記制御部は、前記ボイラの負荷率が前記通常運転ゾーン又は前記第２エコ運転ゾーンに位置する状態が前記第１の時間よりも長い第２の時間継続した場合、燃焼させるボイラの台数を一台増加させる請求項１５に記載のボイラシステム。
【発明の詳細な説明】
【技術分野】
【０００１】
本発明は、ボイラシステムに関する。より詳しくは、燃焼状態の制御を比例制御で行うボイラシステムに関する。
【背景技術】
【０００２】
従来、複数のボイラを燃焼させて蒸気を発生させるボイラシステムとして、ボイラの燃焼量を連続的に増減させて蒸気の発生量を制御する、いわゆる比例制御方式のボイラシステムが提案されている。
例えば、特許文献１には、ボイラを、台数増加負荷ゾーン、最適運転負荷ゾーン及び台数減少負荷ゾーンの３つの負荷ゾーンに区分し、ボイラが台数増加負荷ゾーンで燃焼している場合に燃焼させるボイラの台数を増加させ、ボイラが台数減少負荷ゾーンで燃焼している場合に燃焼させるボイラの台数を減少させる比例制御ボイラの制御方法が提案されている。そして、この特許文献１で提案された比例制御ボイラの制御方法では、燃焼させるボイラの台数の増減を行った後には、燃焼しているすべてのボイラを均等な負荷率で運転させている。
【先行技術文献】
【特許文献】
【０００３】
【特許文献１】特開平１１−１３２４０５号公報
【発明の概要】
【発明が解決しようとする課題】
【０００４】
ここで、特許文献１で提案された手法では、ボイラが台数増加負荷ゾーン又は台数減少負荷ゾーンで燃焼している場合に、一律に燃焼させるボイラの台数を増減させ、燃焼させるボイラの台数の増減を行った後には、燃焼しているすべてのボイラを均等な負荷率で運転させる。そのため、特許文献１で提案された手法では、台数の増加後にボイラが台数減少負荷ゾーンで燃焼したり、台数の減少後にボイラが台数増加負荷ゾーンで燃焼したりする場合が生じる。そして、このような場合には、燃焼させるボイラの台数の増減が繰り返されてしまうため、ボイラ効率（ボイラシステムとしての熱効率）が低下してしまう。
【０００５】
従って、本発明は、よりボイラ効率のよい状態で運転させられるボイラシステムを提供することを目的とする。
【課題を解決するための手段】
【０００６】
本発明は、負荷率を連続的に変更して燃焼可能な複数のボイラを備えるボイラ群と、要求負荷に応じて前記ボイラ群の燃焼状態を制御する制御部と、を備えるボイラシステムであって、前記複数のボイラには、ボイラ効率が第１閾値よりも高くなる負荷率の範囲である第１エコ運転ゾーンと、ボイラ効率が前記第１閾値と該第１閾値よりも低い第２閾値との間となる負荷率の範囲である第２エコ運転ゾーンと、ボイラ効率が前記第２閾値よりも低くなる負荷率の範囲である通常運転ゾーンと、が設定され、かつ、前記第２エコ運転ゾーンは、前記第１エコ運転ゾーンよりも負荷率の高い範囲に位置する上側第２エコ運転ゾーンと、前記第１エコ運転ゾーンよりも負荷率の低い範囲に位置する下側第２エコ運転ゾーンと、を備え、前記通常運転ゾーンは、前記上側第２エコ運転ゾーンよりも負荷率の高い範囲に位置する上側通常運転ゾーンと、前記下側第２エコ運転ゾーンよりも負荷率の低い範囲に位置する下側通常運転ゾーンと、を備え、前記制御部は、前記ボイラの負荷率が前記上側通常運転ゾーンに位置する状態が第１の時間継続した場合に、燃焼させるボイラの台数を一台増加させると既に燃焼しているボイラの負荷率が下側通常運転ゾーンに位置することになるか否かを判定する判定部と、前記判定部により既に燃焼しているボイラの負荷率が下側通常運転ゾーンに位置しないと判定された場合に、燃焼させるボイラの台数を一台増加させるボイラ台数制御部と、を備えるボイラシステムに関する。
【０００７】
また、前記判定部は、前記ボイラの負荷率が前記上側通常運転ゾーン又は前記上側第２エコ運転ゾーンに位置する状態が前記第１の時間よりも長い第２の時間継続した場合に、燃焼させるボイラの台数を一台増加させると既に燃焼しているボイラの負荷率が前記下側通常運転ゾーン又は前記下側第２エコ運転ゾーンに位置することになるか否かを判定し、前記ボイラ台数制御部は、前記判定部により既に燃焼しているボイラの負荷率が前記下側通常運転ゾーン又は前記下側第２エコ運転ゾーンに位置しないと判定された場合に、燃焼させるボイラの台数を一台増加させることが好ましい。
【０００８】
また、前記複数のボイラには、最も小さい燃焼状態における負荷率である最小負荷率が設定されており、前記ボイラ台数制御部は、燃焼させるボイラの台数を増加させる場合、新たに燃焼させるボイラを前記最小負荷率で燃焼させることが好ましい。
【０００９】
また、前記ボイラ台数制御部は、燃焼させるボイラの台数を増加させる場合、新たに燃焼させるボイラを前記下側第２エコ運転ゾーンの範囲の負荷率で燃焼させることが好ましい。
【００１０】
また、前記判定部は、前記ボイラの負荷率が前記下側通常運転ゾーンに位置する状態で第３の時間継続した場合に、燃焼させるボイラの台数を一台減少させると燃焼を継続するボイラの負荷率が前記上側通常運転ゾーンに位置することになるか否かを判定し、前記ボイラ台数制御部は、前記判定部により燃焼を継続するボイラの負荷率が前記上側通常運転ゾーンに位置しないと判定された場合に、燃焼させるボイラの台数を一台減少させることが好ましい。
【００１１】
また、前記判定部は、前記ボイラの負荷率が前記下側通常運転ゾーン又は前記下側第２エコ運転ゾーンに位置する状態が前記第３の時間よりも長い第４の時間継続した場合に、燃焼させるボイラの台数を一台減少させると燃焼を継続するボイラの負荷率が前記上側通常運転ゾーン又は前記上側第２エコ運転ゾーンに位置することになるか否かを判定し、前記ボイラ台数制御部は、前記判定部により燃焼を継続するボイラの負荷率が前記上側通常運転ゾーン又は前記上側第２エコ運転ゾーンに位置しないと判定された場合に、燃焼させるボイラの台数を一台減少させることが好ましい。
【００１２】
また、本発明は、負荷率を連続的に変更して燃焼可能な複数のボイラを備えるボイラ群と、要求負荷に応じて前記ボイラ群の燃焼状態を制御する制御部と、を備えるボイラシステムであって、前記複数のボイラには、ボイラ効率が第１閾値よりも高くなる負荷率の範囲である第１エコ運転ゾーンと、ボイラ効率が前記第１閾値と該第１閾値よりも低い第２閾値との間となる負荷率の範囲である第２エコ運転ゾーンと、ボイラ効率が前記第２閾値よりも低くなる負荷率の範囲である通常運転ゾーンと、が設定され、かつ、前記第２エコ運転ゾーンは、前記第１エコ運転ゾーンよりも負荷率の高い範囲に位置する上側第２エコ運転ゾーンと、前記第１エコ運転ゾーンよりも負荷率の低い範囲に位置する下側第２エコ運転ゾーンと、を備え、前記通常運転ゾーンは、前記上側第２エコ運転ゾーンよりも負荷率の高い範囲に位置し、前記制御部は、前記ボイラの負荷率が前記通常運転ゾーンに位置する状態が第１の時間継続した場合に、燃焼させるボイラの台数を一台増加させるボイラシステムに関する。
【００１３】
また、前記制御部は、前記ボイラの負荷率が前記通常運転ゾーン又は前記上側第２エコ運転ゾーンに位置する状態が前記第１の時間よりも長い第２の時間継続した場合に、燃焼させるボイラの台数を一台増加させると既に燃焼しているボイラの負荷率が前記下側第２エコ運転ゾーンに位置することになるか否かを判定し、既に燃焼しているボイラの負荷率が前記下側第２エコ運転ゾーンに位置しないと判定された場合に、燃焼させるボイラの台数を一台増加させることが好ましい。
【００１４】
また、前記制御部は、前記ボイラの負荷率が前記下側第２エコ運転ゾーンに位置する状態が第４の時間継続した場合に、燃焼させるボイラの台数を一台減少させると燃焼を継続するボイラの負荷率が前記通常運転ゾーン又は前記上側第２エコ運転ゾーンに位置することになるか否かを判定し、燃焼を継続するボイラの負荷率が前記通常運転ゾーン又は前記上側第２エコ運転ゾーンに位置しないと判定された場合に、燃焼させるボイラの台数を一台減少させることが好ましい。
【００１５】
また、本発明は、負荷率を連続的に変更して燃焼可能な複数のボイラを備えるボイラ群と、要求負荷に応じて前記ボイラ群の燃焼状態を制御する制御部と、を備えるボイラシステムであって、前記複数のボイラには、ボイラ効率が第１閾値よりも高くなる負荷率の範囲である第１エコ運転ゾーンと、ボイラ効率が前記第１閾値と該第１閾値よりも低い第２閾値との間となる負荷率の範囲である第２エコ運転ゾーンと、ボイラ効率が前記第２閾値よりも低くなる負荷率の範囲である通常運転ゾーンと、が設定され、かつ、前記第２エコ運転ゾーンは、前記第１エコ運転ゾーンよりも負荷率の高い範囲に位置する上側第２エコ運転ゾーンと、前記第１エコ運転ゾーンよりも負荷率の低い範囲に位置する下側第２エコ運転ゾーンと、を備え、前記通常運転ゾーンは、前記下側第２エコ運転ゾーンよりも負荷率の低い範囲に位置し、前記制御部は、前記ボイラの負荷率が前記通常運転ゾーンに位置する状態で第３の時間継続した場合に、燃焼させるボイラの台数を一台減少させるボイラシステムに関する。
【００１６】
また、前記制御部は、前記ボイラの負荷率が前記通常運転ゾーン又は前記下側第２エコ運転ゾーンに位置する状態が前記第３の時間よりも長い第４の時間継続した場合に、燃焼させるボイラの台数を一台減少させると燃焼を継続するボイラの負荷率が前記上側第２エコ運転ゾーンに位置することになるか否かを判定し、燃焼を継続するボイラの負荷率が前記上側第２エコ運転ゾーンに位置しないと判定された場合に、燃焼させるボイラの台数を一台減少させることが好ましい。
【００１７】
また、前記制御部は、前記ボイラの負荷率が前記上側第２エコ運転ゾーンに位置する状態が第２の時間継続した場合に、燃焼させるボイラの台数を一台増加させると既に燃焼しているボイラの負荷率が前記通常運転ゾーン又は前記下側第２エコ運転ゾーンに位置することになるか否かを判定し、既に燃焼しているボイラの負荷率が前記通常運転ゾーン又は前記下側第２エコ運転ゾーンに位置しないと判定された場合に、燃焼させるボイラの台数を一台増加させることが好ましい。
【００１８】
また、本発明は、負荷率を連続的に変更して燃焼可能な複数のボイラを備えるボイラ群と、要求負荷に応じて前記ボイラ群の燃焼状態を制御する制御部と、を備えるボイラシステムであって、前記複数のボイラには、ボイラ効率が第１閾値よりも高くなる負荷率の範囲である第１エコ運転ゾーンと、ボイラ効率が前記第１閾値と該第１閾値よりも低い第２閾値との間となる負荷率の範囲である第２エコ運転ゾーンと、ボイラ効率が前記第２閾値よりも低くなる負荷率の範囲である通常運転ゾーンと、が設定され、かつ、前記第２エコ運転ゾーンは、前記第１エコ運転ゾーンよりも負荷率の低い範囲に位置すると共に、前記通常運転ゾーンは、前記第２エコ運転ゾーンよりも負荷率の低い範囲に位置し、前記制御部は、前記ボイラの負荷率が前記通常運転ゾーンに位置する状態が第３の時間継続した場合、燃焼させるボイラの台数を一台減少させるボイラシステムに関する。
【００１９】
また、前記制御部は、前記ボイラの負荷率が前記通常運転ゾーン又は前記第２エコ運転ゾーンに位置する状態が前記第３の時間よりも長い第４の時間継続した場合、燃焼させるボイラの台数を一台減少させることが好ましい。
【００２０】
また、本発明は、負荷率を連続的に変更して燃焼可能な複数のボイラを備えるボイラ群と、要求負荷に応じて前記ボイラ群の燃焼状態を制御する制御部と、を備えるボイラシステムであって、前記複数のボイラには、ボイラ効率が第１閾値よりも高くなる負荷率の範囲である第１エコ運転ゾーンと、ボイラ効率が前記第１閾値と該第１閾値よりも低い第２閾値との間となる負荷率の範囲である第２エコ運転ゾーンと、ボイラ効率が前記第２閾値よりも低くなる負荷率の範囲である通常運転ゾーンと、が設定され、かつ、前記第２エコ運転ゾーンは、前記第１エコ運転ゾーンよりも負荷率の高い範囲に位置すると共に、前記通常運転ゾーンは、前記第２エコ運転ゾーンよりも負荷率の高い範囲に位置し、前記制御部は、前記ボイラの負荷率が前記通常運転ゾーンに位置する状態が第１の時間継続した場合、燃焼させるボイラの台数を一台増加させるボイラシステムに関する。
【００２１】
また、前記制御部は、前記ボイラの負荷率が前記通常運転ゾーン又は前記第２エコ運転ゾーンに位置する状態が前記第１の時間よりも長い第２の時間継続した場合、燃焼させるボイラの台数を一台増加させることが好ましい。
【発明の効果】
【００２２】
本発明によれば、よりボイラ効率のよい状態でボイラシステムを運転させられる。
【図面の簡単な説明】
【００２３】
【図１】本発明の一実施形態に係るボイラシステムの概略を示す図である。
【図２】本発明の第１実施形態に係るボイラ群の概略を示す図である。
【図３】第１実施形態のボイラシステムの動作の概略を示す図であり、燃焼させるボイラの台数を増加させる状態の一例を示した図である。
【図４】第１実施形態のボイラシステムの動作の概略を示す図であり、燃焼させるボイラの台数を増加させる状態の一例を示した図である。
【図５】第１実施形態のボイラシステムの動作の概略を示す図であり、燃焼させるボイラの台数を増加させる状態の他の例を示した図である。
【図６】第１実施形態のボイラシステムの動作の概略を示す図であり、燃焼させるボイラの台数を増加させる状態の他の例を示した図である。
【図７】第１実施形態のボイラシステムの動作の概略を示す図であり、燃焼させるボイラの台数を減少させる状態の一例を示した図である。
【図８】第１実施形態のボイラシステムの動作の概略を示す図であり、燃焼させるボイラの台数を減少させる状態の一例を示した図である。
【図９】第１実施形態のボイラシステムの動作の概略を示す図であり、燃焼させるボイラの台数を減少させる状態の他の例を示した図である。
【図１０】第１実施形態のボイラシステムの動作の概略を示す図であり、燃焼させるボイラの台数を減少させる状態の他の例を示した図である。
【図１１】第１実施形態において、ボイラの負荷率が上側通常運転ゾーンに位置している場合のボイラシステムの動作を示すフローチャートである。
【図１２】第１実施形態において、ボイラの負荷率が上側通常運転ゾーン又は上側第２エコ運転ゾーンに位置している場合のボイラシステムの動作を示すフローチャートである。
【図１３】第１実施形態において、ボイラの負荷率が下側通常運転ゾーンに位置している場合のボイラシステムの動作を示すフローチャートである。
【図１４】第１実施形態において、ボイラの負荷率が下側通常運転ゾーン又は下側第２エコ運転ゾーンに位置している場合のボイラシステムの動作を示すフローチャートである。
【図１５】本発明の第２実施形態に係るボイラ群の概略を示す図である。
【図１６】第２実施形態のボイラシステムの動作の概略を示す図であり、燃焼させるボイラの台数を増加させる状態の一例を示した図である。
【図１７】第２実施形態のボイラシステムの動作の概略を示す図であり、燃焼させるボイラの台数を増加させる状態の一例を示した図である。
【図１８】第２実施形態のボイラシステムの動作の概略を示す図であり、燃焼させるボイラの台数を増加させる状態の他の例を示した図である。
【図１９】第２実施形態のボイラシステムの動作の概略を示す図であり、燃焼させるボイラの台数を増加させる状態の他の例を示した図である。
【図２０】第２実施形態のボイラシステムの動作の概略を示す図であり、燃焼させるボイラの台数を減少させる状態の一例を示した図である。
【図２１】第２実施形態のボイラシステムの動作の概略を示す図であり、燃焼させるボイラの台数を減少させる状態の一例を示した図である。
【図２２】第２実施形態において、ボイラの負荷率が通常運転ゾーンに位置している場合のボイラシステムの動作を示すフローチャートである。
【図２３】第２実施形態において、ボイラの負荷率が通常運転ゾーン又は上側第２エコ運転ゾーンに位置している場合のボイラシステムの動作を示すフローチャートである。
【図２４】第２実施形態において、ボイラの負荷率が下側第２エコ運転ゾーンに位置している場合のボイラシステムの動作を示すフローチャートである。
【図２５】本発明の第３実施形態に係るボイラ群の概略を示す図である。
【図２６】第３実施形態のボイラシステムの動作の概略を示す図であり、燃焼させるボイラの台数を減少させる状態の一例を示した図である。
【図２７】第３実施形態のボイラシステムの動作の概略を示す図であり、燃焼させるボイラの台数を減少させる状態の一例を示した図である。
【図２８】第３実施形態のボイラシステムの動作の概略を示す図であり、燃焼させるボイラの台数を減少させる状態の他の例を示した図である。
【図２９】第３実施形態のボイラシステムの動作の概略を示す図であり、燃焼させるボイラの台数を減少させる状態の他の例を示した図である。
【図３０】第３実施形態のボイラシステムの動作の概略を示す図であり、燃焼させるボイラの台数を増加させる状態の一例を示した図である。
【図３１】第３実施形態のボイラシステムの動作の概略を示す図であり、燃焼させるボイラの台数を増加させる状態の一例を示した図である。
【図３２】第３実施形態において、ボイラの負荷率が通常運転ゾーンに位置している場合のボイラシステムの動作を示すフローチャートである。
【図３３】第３実施形態において、ボイラの負荷率が通常運転ゾーン又は下側第２エコ運転ゾーンに位置している場合のボイラシステムの動作を示すフローチャートである。
【図３４】第３実施形態において、ボイラの負荷率が上側第２エコ運転ゾーンに位置している場合のボイラシステムの動作を示すフローチャートである。
【図３５】本発明の第４実施形態に係るボイラ群の概略を示す図である。
【図３６】第４実施形態のボイラシステムの動作の概略を示す図であり、燃焼させるボイラの台数を減少させる状態の一例を示した図である。
【図３７】第４実施形態のボイラシステムの動作の概略を示す図であり、燃焼させるボイラの台数を減少させる状態の一例を示した図である。
【図３８】第４実施形態のボイラシステムの動作の概略を示す図であり、燃焼させるボイラの台数を減少させる状態の他の例を示した図である。
【図３９】第４実施形態のボイラシステムの動作の概略を示す図であり、燃焼させるボイラの台数を減少させる状態の他の例を示した図である。
【図４０】第４実施形態において、ボイラの負荷率が通常運転ゾーンに位置している場合のボイラシステムの動作を示すフローチャートである。
【図４１】第４実施形態において、ボイラの負荷率が通常運転ゾーン又は第２エコ運転ゾーンに位置している場合のボイラシステムの動作を示すフローチャートである。
【図４２】本発明の第５実施形態に係るボイラ群の概略を示す図である。
【図４３】第５実施形態のボイラシステムの動作の概略を示す図であり、燃焼させるボイラの台数を増加させる状態の一例を示した図である。
【図４４】第５実施形態のボイラシステムの動作の概略を示す図であり、燃焼させるボイラの台数を増加させる状態の一例を示した図である。
【図４５】第５実施形態のボイラシステムの動作の概略を示す図であり、燃焼させるボイラの台数を増加させる状態の他の例を示した図である。
【図４６】第５実施形態のボイラシステムの動作の概略を示す図であり、燃焼させるボイラの台数を増加させる状態の他の例を示した図である。
【図４７】第５実施形態において、ボイラの負荷率が通常運転ゾーンに位置している場合のボイラシステムの動作を示すフローチャートである。
【図４８】第５実施形態において、ボイラの負荷率が通常運転ゾーン又は第２エコ運転ゾーンに位置している場合のボイラシステムの動作を示すフローチャートである。
【発明を実施するための形態】
【００２４】
以下、本発明のボイラシステムの好ましい実施形態について、図面を参照しながら説明する。
まず、本発明のボイラシステム１の全体構成につき、図１を参照しながら説明する。
ボイラシステム１は、複数（５台）のボイラ２０を含むボイラ群２と、これら複数のボイラ２０において生成された蒸気を集合させる蒸気ヘッダ６と、この蒸気ヘッダ６の内部の圧力を測定する蒸気圧センサ７と、ボイラ群２の燃焼状態を制御する制御部４を有する台数制御装置３と、を備える。
【００２５】
ボイラ群２は、負荷機器としての蒸気使用設備１８に供給する蒸気を生成する。
蒸気ヘッダ６は、蒸気管１１を介してボイラ群２を構成する複数のボイラ２０に接続されている。この蒸気ヘッダ６の下流側は、蒸気管１２を介して蒸気使用設備１８に接続されている。
蒸気ヘッダ６は、ボイラ群２で生成された蒸気を集合させて貯留することにより、複数のボイラ２０の相互の圧力差及び圧力変動を調整し、圧力が調整された蒸気を蒸気使用設備１８に供給する。
【００２６】
蒸気圧センサ７は、信号線１３を介して、台数制御装置３に電気的に接続されている。蒸気圧センサ７は、蒸気ヘッダ６の内部の蒸気圧（ボイラ群２で発生した蒸気の圧力）を測定し、測定した蒸気圧に係る信号（蒸気圧信号）を、信号線１３を介して台数制御装置３に送信する。
【００２７】
台数制御装置３は、信号線１６を介して、複数のボイラ２０と電気的に接続されている。この台数制御装置３は、蒸気圧センサ７により測定される蒸気ヘッダ６の内部の蒸気圧に基づいて、各ボイラ２０の燃焼状態を制御する。台数制御装置３の詳細については、後述する。
【００２８】
以上のボイラシステム１は、ボイラ群２で発生させた蒸気を、蒸気ヘッダ６を介して、蒸気使用設備１８に供給可能とされている。
ボイラシステム１において要求される負荷（要求負荷）は、蒸気使用設備１８における蒸気消費量である。台数制御装置３は、この蒸気消費量の変動に対応して生じる蒸気ヘッダ６の内部の蒸気圧の変動を、蒸気圧センサ７が測定する蒸気ヘッダ６の内部の蒸気圧（物理量）に基づいて算出し、ボイラ群２を構成する各ボイラ２０の燃焼量を制御する。
【００２９】
具体的には、蒸気使用設備１８の需要の増大により要求負荷（蒸気消費量）が増加し、蒸気ヘッダ６に供給される蒸気量が不足すれば、蒸気ヘッダ６の内部の蒸気圧が減少することになる。一方、蒸気使用設備１８の需要の低下により要求負荷（蒸気消費量）が減少し、蒸気ヘッダ６に供給される蒸気量が過剰になれば、蒸気ヘッダ６の内部の蒸気圧が増加することになる。従って、ボイラシステム１は、蒸気圧センサ７により測定された蒸気圧の変動に基づいて、要求負荷の変動をモニターすることができる。そして、ボイラシステム１は、蒸気ヘッダ６の蒸気圧に基づいて、蒸気使用設備１８の消費蒸気量（要求負荷）に応じて必要とされる蒸気量である必要蒸気量を算出する。
【００３０】
ここで、本実施形態のボイラシステム１を構成する複数のボイラ２０について説明する。図２は、本実施形態に係るボイラ群２の概略を示す図である。
本実施形態のボイラ２０は、負荷率を連続的に変更して燃焼可能な比例制御ボイラからなる。
比例制御ボイラとは、少なくとも、最小燃焼状態Ｓ１（例えば、最大燃焼量の２０％の燃焼量における燃焼状態）から最大燃焼状態Ｓ２の範囲で、燃焼量が連続的に制御可能とされているボイラである。比例制御ボイラは、例えば、燃料をバーナに供給するバルブや、燃焼用空気を供給するバルブの開度（燃焼比）を制御することにより、燃焼量を調整するようになっている。
【００３１】
また、燃焼量を連続的に制御するとは、後述のローカル制御部２２における演算や信号がデジタル方式とされて段階的に取り扱われる場合（例えば、ボイラ２０の出力（燃焼量）が１％刻みで制御される場合）であっても、事実上連続的に出力を制御可能な場合を含む。
【００３２】
本実施形態では、複数のボイラ２０には、最小燃焼状態Ｓ１における負荷率である最小負荷率Ｒｍｉｎが設定されている。そして、ボイラ２０の燃焼停止状態Ｓ０と最小燃焼状態Ｓ１との間の燃焼状態の変更は、ボイラ２０（バーナ）の燃焼をオン／オフすることで制御される。そして、最小燃焼状態Ｓ１から最大燃焼状態Ｓ２の範囲においては、燃焼量が連続的に制御可能となっている。
【００３３】
また、本実施形態では、複数のボイラ２０には、それぞれ、第１エコ運転ゾーンＺ１と、第２エコ運転ゾーンＺ２と、通常運転ゾーンＺ３と、が設定されている。
第１エコ運転ゾーンＺ１は、ボイラ効率（ボイラ２０の熱効率）が第１閾値（例えば、９８％）よりも高くなる負荷率の範囲であり、ボイラ２０を燃焼させる上で、最も好ましい負荷率の範囲である。
【００３４】
第２エコ運転ゾーンＺ２は、ボイラ効率が第１閾値と、この第１閾値よりも低い第２閾値（例えば、９７％）との間となる負荷率の範囲である。この第２エコ運転ゾーンＺ２は、図２に示すように、第１エコ運転ゾーンＺ１よりも負荷率の高い範囲に位置する上側第２エコ運転ゾーンＺ２１と、第１エコ運転ゾーンＺ１よりも負荷率の低い範囲に位置する下側第２エコ運転ゾーンＺ２２と、を備える。
【００３５】
通常運転ゾーンＺ３は、ボイラ効率が第２閾値よりも低くなる負荷率の範囲である。この通常運転ゾーンＺ３は、図２に示すように、上側第２エコ運転ゾーンＺ２１よりも負荷率の高い範囲に位置する上側通常運転ゾーンＺ３１と、下側第２エコ運転ゾーンＺ２２よりも負荷率の低い範囲に位置する下側通常運転ゾーンＺ３２と、を備える。
【００３６】
また、複数のボイラ２０には、それぞれ優先順位が設定されている。優先順位は、燃焼指示や燃焼停止指示を行うボイラ２０を選択するために用いられる。優先順位は、例えば整数値を用いて、数値が小さいほど優先順位が高くなるよう設定することができる。図２に示すように、ボイラ２０の１号機〜５号機のそれぞれに「１」〜「５」の優先順位が割り当てられている場合、１号機の優先順位が最も高く、５号機の優先順位が最も低い。この優先順位は、通常の場合、後述の制御部４の制御により、所定の時間間隔（例えば、２４時間間隔）で変更される。
【００３７】
以上説明したボイラ２０は、図１に示すように、燃焼が行われるボイラ本体２１と、ボイラ２０の燃焼状態を制御するローカル制御部２２と、を備える。
ローカル制御部２２は、要求負荷に応じてボイラ２０の燃焼状態を変更させる。具体的には、ローカル制御部２２は、信号線１６を介して台数制御装置３から送信される台数制御信号に基づいて、ボイラ２０の燃焼状態を制御する。
また、ローカル制御部２２は、台数制御装置３で用いられる信号を、信号線１６を介して台数制御装置３に送信する。台数制御装置３で用いられる信号としては、ボイラ２０の実際の燃焼状態、及びその他のデータが挙げられる。
【００３８】
次に、台数制御装置３の詳細について説明する。
台数制御装置３は、蒸気圧センサ７からの蒸気圧信号に基づいて、要求負荷に応じたボイラ群２の必要燃焼量、及び必要燃焼量に対応する各ボイラ２０の燃焼状態を算出し、各ボイラ２０（ローカル制御部２２）に台数制御信号を送信する。この台数制御装置３は、図１に示すように、記憶部５と、制御部４と、を備える。
【００３９】
記憶部５は、台数制御装置３（制御部４）の制御により各ボイラ２０に対して行われた指示の内容や、各ボイラ２０から受信した燃焼状態等の情報、複数のボイラ２０の運転ゾーンの設定に関する情報、複数のボイラ２０の燃焼パターンの設定条件等の情報、複数のボイラ２０の優先順位の設定の情報、優先順位の変更（ローテーション）に関する設定の情報等を記憶する。
【００４０】
制御部４は、信号線１６を介して各ボイラ２０に各種の指示を行ったり、各ボイラ２０から各種のデータを受信したりして、５台のボイラ２０の燃焼状態や優先順位を制御する。各ボイラ２０は、台数制御装置３から燃焼状態の変更指示の信号を受けると、その指示に従って当該ボイラ２０を制御する。
【００４１】
ここで、本実施形態のボイラシステム１による複数のボイラ２０の燃焼状態の制御の詳細について説明する。図３〜図１０は、それぞれ、本実施形態のボイラシステム１の動作の概略を示す図である。
本実施形態では、制御部４は、図１に示すように、判定部４１と、ボイラ台数制御部４２と、を備える。
判定部４１は、複数のボイラ２０の負荷率が、所定の運転ゾーンに位置しているか、及びボイラ２０の負荷率が所定の運転ゾーンに位置している状態が所定の時間継続しているか等を判定する。
ボイラ台数制御部４２は、判定部４１による判定結果に基いて、燃焼させるボイラ２０の台数を増加又は減少させる。
【００４２】
まず、燃焼させるボイラ２０の台数を増加させる場合における制御部４の動作につき、図３〜図６を参照しながら説明する。
この場合、判定部４１は、ボイラ２０の負荷率が上側通常運転ゾーンＺ３１に位置する状態が第１の時間（例えば、５分〜２０分）Ｔ１継続した場合に、燃焼させるボイラ２０の台数を一台増加させると既に燃焼しているボイラ２０の負荷率が下側通常運転ゾーンＺ３２に位置することになるか否かを判定する。
具体的には、例えば、図３に示すように、１号機及び２号機の２台のボイラ２０が上側通常運転ゾーンＺ３１の範囲で燃焼している状態が第１の時間Ｔ１継続した場合、判定部４１は、ボイラシステム１の出力を維持した状態で１号機〜３号機の３台のボイラ２０を同じ負荷率で燃焼させると、３台のボイラ２０の負荷率が下側通常運転ゾーンＺ３２に位置することになるか否かを判定する。
【００４３】
ボイラ台数制御部４２は、判定部４１により既に燃焼しているボイラ２０の負荷率が下側通常運転ゾーンＺ３２に位置しないと判定された場合に、燃焼させるボイラ２０の台数を一台増加させる。
具体的には、図４に示すように、１号機〜３号機の３台のボイラ２０を同じ負荷率で燃焼させた場合に、３台のボイラ２０の負荷率が、下側第２エコ運転ゾーンＺ２２、第１エコ運転ゾーンＺ１、上側第２エコ運転ゾーンＺ２１又は上側通常運転ゾーンＺ３１に位置することになる場合（ここでは、第１エコ運転ゾーンＺ１に位置することになる）、ボイラ台数制御部４２は、３号機ボイラ２０を燃焼させると共に、１号機及び２号機のボイラ２０の負荷率をそれぞれ減少させて３台のボイラ２０を同じ負荷率で燃焼させる。
【００４４】
また、判定部４１は、ボイラ２０の負荷率が上側通常運転ゾーンＺ３１又は上側第２エコ運転ゾーンＺ２１に位置する状態が第１の時間Ｔ１よりも長い第２の時間Ｔ２（例えば、１０分〜２０分）継続した場合に、燃焼させるボイラの台数を一台増加させると既に燃焼しているボイラ２０の負荷率が下側通常運転ゾーンＺ３２又は下側第２エコ運転ゾーンＺ２２に位置することになるか否かを判定する。
具体的には、例えば、図５に示すように、１号機及び２号機の２台のボイラ２０が上側第２エコ運転ゾーンＺ２１の範囲で燃焼している状態が第２の時間Ｔ２継続した場合、判定部４１は、ボイラシステム１の出力を維持した状態で１号機〜３号機の３台のボイラ２０を同じ負荷率で燃焼させると、３台のボイラ２０の負荷率が下側通常運転ゾーンＺ３２又は下側第２エコ運転ゾーンＺ２２に位置することになるか否かを判定する。
【００４５】
この場合、ボイラ台数制御部４２は、判定部４１により既に燃焼しているボイラ２０の負荷率が下側通常運転ゾーンＺ３２又は下側第２エコ運転ゾーンＺ２２に位置しないと判定された場合に、燃焼させるボイラ２０の台数を一台増加させる。
具体的には、図６に示すように、１号機〜３号機の３台のボイラ２０を同じ負荷率で燃焼させた場合に、３台のボイラ２０の負荷率が、第１エコ運転ゾーンＺ１又は上側第２エコ運転ゾーンＺ２１に位置することになる場合（ここでは、第１エコ運転ゾーンＺ１に位置することになる）、ボイラ台数制御部４２は、３号機ボイラ２０を燃焼させると共に、１号機及び２号機のボイラ２０の負荷率をそれぞれ減少させて３台のボイラ２０を同じ負荷率で燃焼させる。
【００４６】
尚、「ボイラ２０の負荷率が上側通常運転ゾーンＺ３１又は上側第２エコ運転ゾーンＺ２１に位置する状態」とは、負荷率が上側第２エコ運転ゾーンＺ２１に位置し続ける状態及び負荷率が上側第２エコ運転ゾーンＺ２１と上側通常運転ゾーンＺ３１との間を上下している状態を含む概念である。ここで、負荷率が上側通常運転ゾーンＺ３１に位置し続ける状態の場合には、第２の時間Ｔ２よりも短い第１の時間Ｔ１が経過した場合に、判定部４１による判定が行われる。
【００４７】
次に、燃焼させるボイラ２０の台数を減少させる場合における制御部４の動作につき、図７〜図１０を参照しながら説明する。
この場合、判定部４１は、ボイラ２０の負荷率が下側通常運転ゾーンＺ３２に位置する状態で第３の時間Ｔ３（例えば、５分〜２０分）継続した場合に、燃焼させるボイラ２０の台数を一台減少させると燃焼を継続するボイラ２０の負荷率が上側通常運転ゾーンＺ３１に位置することになるか否かを判定する。
具体的には、例えば、図７に示すように、１号機ボイラ２０〜３号機ボイラ２０の３台のボイラ２０が下側通常運転ゾーンＺ３２の範囲で燃焼している状態が第３の時間Ｔ３継続した場合、判定部４１は、燃焼を継続するボイラ２０（優先順位の高い１号機及び２号機のボイラ２０）の負荷率をそれぞれ、優先順位の低い３号機ボイラ２０の運転負荷率Ｓ３の１／２ずつ増加させた場合に、これら２台のボイラ２０の負荷率が上側通常運転ゾーンＺ３１に位置することになるか否かを判定する。
【００４８】
この場合、ボイラ台数制御部４２は、判定部４１により燃焼を継続するボイラ２０の負荷率が上側通常運転ゾーンＺ３１に位置しないと判定された場合に、燃焼させるボイラ２０の台数を一台減少させる。
具体的には、図８に示すように、３号機ボイラ２０の燃焼を停止させ、１号機及び２号機のボイラ２０の負荷率をそれぞれ、３号機ボイラ２０の運転負荷率Ｓ３の１／２ずつ増加させた場合に、１号機及び２号機の２台のボイラ２０が、上側第２エコ運転ゾーンＺ２１、第１エコ運転ゾーンＺ１、下側第２エコ運転ゾーンＺ２２又は下側通常運転ゾーンＺ３２に位置することになる場合（ここでは、下側第２エコ運転ゾーンＺ２２に位置することになる）、ボイラ台数制御部４２は、３号機ボイラ２０の燃焼を停止させ、１号機及び２号機のボイラ２０の負荷率をそれぞれ、３号機ボイラ２０の運転負荷率Ｓ３の１／２ずつ増加させる。
【００４９】
また、判定部は、ボイラ２０の負荷率が下側通常運転ゾーンＺ３２又は下側第２エコ運転ゾーンＺ２２に位置する状態が第３の時間Ｔ３よりも長い第４の時間Ｔ４（例えば、１０分〜２０分）継続した場合に、燃焼させるボイラ２０の台数を一台減少させると燃焼を継続するボイラ２０の負荷率が上側通常運転ゾーンＺ３１又は上側第２エコ運転ゾーンＺ２１に位置することになるか否かを判定する。
具体的には、例えば、図９に示すように、１号機ボイラ２０〜３号機ボイラ２０の３台のボイラ２０が下側第２エコ運転ゾーンＺ２２の範囲で燃焼している状態が第４の時間Ｔ４継続した場合、判定部４１は、燃焼を継続するボイラ２０（優先順位の高い１号機及び２号機のボイラ２０）の負荷率をそれぞれ、優先順位の低い３号機ボイラ２０の運転負荷率Ｓ４の１／２ずつ増加させた場合に、これら２台のボイラ２０の負荷率が上側通常運転ゾーンＺ３１又は上側第２エコ運転ゾーンＺ２１に位置することになるか否かを判定する。
【００５０】
この場合、ボイラ台数制御部４２は、判定部４１により燃焼を継続するボイラ２０の負荷率が上側通常運転ゾーンＺ３１又は上側第２エコ運転ゾーンＺ２１に位置しないと判定された場合に、燃焼させるボイラ２０の台数を一台減少させる。
具体的には、図１０に示すように、３号機ボイラ２０の燃焼を停止させ、１号機及び２号機のボイラ２０の負荷率をそれぞれ、３号機ボイラ２０の運転負荷率Ｓ４の１／２ずつ増加させた場合に、１号機及び２号機の２台のボイラ２０が、第１エコ運転ゾーンＺ１、下側第２エコ運転ゾーンＺ２２、又は下側通常運転ゾーンＺ３２に位置することになる場合（ここでは、第１エコ運転ゾーンＺ１に位置することになる）、ボイラ台数制御部４２は、３号機ボイラ２０の燃焼を停止させ、１号機及び２号機のボイラ２０の負荷率をそれぞれ、３号機ボイラ２０の運転負荷率Ｓ４の１／２ずつ増加させる。
【００５１】
尚、「ボイラ２０の負荷率が下側通常運転ゾーンＺ３２又は下側第２エコ運転ゾーンＺ２２に位置する状態」とは、負荷率が下側第２エコ運転ゾーンＺ２２に位置し続ける状態及び負荷率が下側第２エコ運転ゾーンＺ２２と下側通常運転ゾーンＺ３２との間を上下している状態を含む概念である。ここで、負荷率が下側通常運転ゾーンＺ３２に位置し続ける状態の場合には、第４の時間Ｔ４よりも短い第３の時間Ｔ３が経過した場合に、判定部４１による判定が行われる。
【００５２】
次に、本実施形態のボイラシステム１の動作の具体例につき、図１１〜図１４を参照しながら説明する。図１１〜図１４は、ボイラシステム１の動作を示すフローチャートである。
まず、ボイラ２０の負荷率が上側通常運転ゾーンＺ３１に位置している場合におけるボイラシステム１の動作について、図１１を参照しながら説明する。
【００５３】
この場合、ステップＳＴ１において、判定部４１は、ボイラ２０の負荷率が上側通常運転ゾーンＺ３１に位置している時間が第１の時間Ｔ１継続したかを判定する。判定部４１により、上側通常運転ゾーンＺ３１に位置している時間が第１の時間Ｔ１継続したと判定された場合、処理はステップＳＴ２に進む。判定部４１により、上側通常運転ゾーンＺ３１に位置している時間が第１の時間Ｔ１継続していないと判定された場合、処理はステップＳＴ１に戻る。
【００５４】
ステップＳＴ２において、判定部４１は、燃焼させるボイラ２０の台数を一台増加させると、既に燃焼しているボイラ２０の負荷率が下側通常運転ゾーンＺ３２に位置することになるか否かを判定する。具体的には、判定部４１は、新たに燃焼を開始させるボイラ２０を含む、燃焼させるすべてのボイラ２０を同じ負荷率で燃焼させた場合に、ボイラ２０の負荷率が下側通常運転ゾーンＺ３２に位置することになるか否かを判定する。判定部４１により、ボイラ２０の負荷率が下側通常運転ゾーンＺ３２に位置することにはならないと判定された場合、処理はステップＳＴ３に進む。判定部４１により、ボイラ２０の負荷率が下側通常運転ゾーンＺ３２に位置することになると判定された場合、処理はステップＳＴ１に戻る。
【００５５】
ステップＳＴ３において、ボイラ台数制御部４２は、燃焼させるボイラ２０の台数を一台増加させて、処理を終了する。具体的には、ボイラ台数制御部４２は、新たに燃焼を開始させるボイラ２０を所定の負荷率で燃焼させると共に、既に燃焼しているボイラ２０の負荷率を、前記所定の負荷率に相当する分減少させて、すべてのボイラ２０を同じ負荷率で燃焼させる。また、ステップＳＴ１において判定部４１による判定のためにカウントされていた時間をリセットする。
【００５６】
尚、以上の処理により、燃焼させるボイラ２０の台数を一台増加させた後、既に燃焼しているボイラ２０が依然として上側通常運転ゾーンＺ３１に位置している場合には、再度、ステップＳＴ１からの処理により、燃焼させるボイラ２０の台数を更に増加させるかが判定される。
【００５７】
次に、ボイラ２０の負荷率が上側通常運転ゾーンＺ３１又は上側第２エコ運転ゾーンＺ２１に位置している場合におけるボイラシステム１の動作について、図１２を参照しながら説明する。
【００５８】
この場合、ステップＳＴ１１において、判定部４１は、ボイラ２０の負荷率が上側通常運転ゾーンＺ３１又は上側第２エコ運転ゾーンＺ２１に位置している時間が第２の時間Ｔ２継続したかを判定する。判定部４１により、上側通常運転ゾーンＺ３１又は上側第２エコ運転ゾーンＺ２１に位置している時間が第２の時間Ｔ２継続したと判定された場合、処理はステップＳＴ１２に進む。判定部４１により、上側通常運転ゾーンＺ３１又は上側第２エコ運転ゾーンＺ２１に位置している時間が第２の時間Ｔ２継続していないと判定された場合、処理はステップＳＴ１１に戻る。
【００５９】
ステップＳＴ１２において、判定部４１は、燃焼させるボイラ２０の台数を一台増加させると、既に燃焼しているボイラ２０の負荷率が下側通常運転ゾーンＺ３２又は下側第２エコ運転ゾーンＺ２２に位置することになるか否かを判定する。具体的には、判定部４１は、新たに燃焼を開始させるボイラ２０を含む、燃焼させるすべてのボイラ２０を同じ負荷率で燃焼させた場合に、ボイラ２０の負荷率が下側通常運転ゾーンＺ３２又は下側第２エコ運転ゾーンＺ２２に位置することになるか否かを判定する。判定部４１により、ボイラ２０の負荷率が下側通常運転ゾーンＺ３２又は下側第２エコ運転ゾーンＺ２２に位置することにはならないと判定された場合、処理はステップＳＴ１３に進む。判定部４１により、ボイラ２０の負荷率が下側通常運転ゾーンＺ３２又は下側第２エコ運転ゾーンＺ２２に位置することになると判定された場合、処理はステップＳＴ１１に戻る。
【００６０】
ステップＳＴ１３において、ボイラ台数制御部４２は、燃焼させるボイラ２０の台数を一台増加させて、処理を終了する。具体的には、ボイラ台数制御部４２は、新たに燃焼を開始させるボイラ２０を所定の負荷率で燃焼させると共に、既に燃焼しているボイラ２０の負荷率を、前記所定の負荷率に相当する分減少させて、すべてのボイラ２０を同じ負荷率で燃焼させる。また、ステップＳＴ１１において判定部４１による判定のためにカウントされていた時間をリセットする。
【００６１】
尚、以上の処理により、燃焼させるボイラ２０の台数を一台増加させた後、既に燃焼しているボイラ２０が依然として上側通常運転ゾーンＺ３１又は上側第２エコ運転ゾーンＺ２１に位置している場合には、再度、ステップＳＴ１１からの処理により、燃焼させるボイラ２０の台数を更に増加させるかが判定される。
【００６２】
次に、ボイラ２０の負荷率が下側通常運転ゾーンＺ３２に位置している場合におけるボイラシステム１の動作について、図１３を参照しながら説明する。
【００６３】
この場合、ステップＳＴ２１において、判定部４１は、ボイラ２０の負荷率が下側通常運転ゾーンＺ３２に位置している時間が第３の時間Ｔ３継続したかを判定する。判定部４１により、下側通常運転ゾーンＺ３２に位置している時間が第３の時間Ｔ３継続したと判定された場合、処理はステップＳＴ２２に進む。判定部４１により、下側通常運転ゾーンＺ３２に位置している時間が第３の時間Ｔ３継続していないと判定された場合、処理はステップＳＴ２１に戻る。
【００６４】
ステップＳＴ２２において、判定部４１は、燃焼させるボイラ２０の台数を一台減少させると、燃焼を継続するボイラ２０の負荷率が上側通常運転ゾーンＺ３１に位置することになるか否かを判定する。具体的には、判定部４１は、燃焼を継続するボイラ２０の負荷率を、燃焼を停止させるボイラ２０の運転負荷率に相当する分増加させた場合に、燃焼を継続するボイラ２０の負荷率が上側通常運転ゾーンＺ３１に位置することになるか否かを判定する。判定部４１により、燃焼を継続するボイラ２０の負荷率が上側通常運転ゾーンＺ３１に位置することにはならないと判定された場合、処理はステップＳＴ２３に進む。判定部４１により、燃焼を継続するボイラ２０の負荷率が上側通常運転ゾーンＺ３１に位置することになると判定された場合、処理はステップＳＴ２１に戻る。
【００６５】
ステップＳＴ２３において、ボイラ台数制御部４２は、燃焼させるボイラ２０の台数を一台減少させて、処理を終了する。具体的には、ボイラ台数制御部４２は、一台のボイラ２０の燃焼を停止させ、燃焼を継続するボイラ２０の負荷率を、燃焼を停止させるボイラ２０の運転負荷率に相当する分増加させる。また、ステップＳＴ２１において判定部４１による判定のためにカウントされていた時間をリセットする。
【００６６】
尚、以上の処理により、燃焼させるボイラ２０の台数を一台減少させた後、燃焼を継続するボイラ２０が依然として下側通常運転ゾーンＺ３２に位置している場合には、再度、ステップＳＴ２１からの処理により、燃焼させるボイラ２０の台数を更に減少させるかが判定される。
【００６７】
次に、ボイラ２０の負荷率が下側通常運転ゾーンＺ３２又は下側第２エコ運転ゾーンＺ２２に位置している場合におけるボイラシステム１の動作について、図１４を参照しながら説明する。
【００６８】
この場合、ステップＳＴ３１において、判定部４１は、ボイラ２０の負荷率が下側通常運転ゾーンＺ３２又は下側第２エコ運転ゾーンＺ２２に位置している時間が第４の時間Ｔ４継続したかを判定する。判定部４１により、下側通常運転ゾーンＺ３２又は下側第２エコ運転ゾーンＺ２２に位置している時間が第４の時間Ｔ４継続したと判定された場合、処理はステップＳＴ３２に進む。判定部４１により、下側通常運転ゾーンＺ３２又は下側第２エコ運転ゾーンＺ２２に位置している時間が第４の時間Ｔ４継続していないと判定された場合、処理はステップＳＴ３１に戻る。
【００６９】
ステップＳＴ３２において、判定部４１は、燃焼させるボイラ２０の台数を一台減少させると、燃焼を継続するボイラ２０の負荷率が上側通常運転ゾーンＺ３１又は上側第２エコ運転ゾーンＺ２１に位置することになるか否かを判定する。具体的には、判定部４１は、燃焼を継続するボイラ２０の負荷率を、燃焼を停止させるボイラ２０の運転負荷率に相当する分増加させた場合に、燃焼を継続するボイラ２０の負荷率が上側通常運転ゾーンＺ３１又は上側第２エコ運転ゾーンＺ２１に位置することになるか否かを判定する。判定部４１により、燃焼を継続するボイラ２０の負荷率が上側通常運転ゾーンＺ３１又は上側第２エコ運転ゾーンＺ２１に位置することにはならないと判定された場合、処理はステップＳＴ３３に進む。判定部４１により、燃焼を継続するボイラ２０の負荷率が上側通常運転ゾーンＺ３１又は上側第２エコ運転ゾーンＺ２１に位置することになると判定された場合、処理はステップＳＴ３１に戻る。
【００７０】
ステップＳＴ３３において、ボイラ台数制御部４２は、燃焼させるボイラ２０の台数を一台減少させて、処理を終了する。具体的には、ボイラ台数制御部４２は、一台のボイラ２０の燃焼を停止させ、燃焼を継続するボイラ２０の負荷率を、燃焼を停止させるボイラ２０の運転負荷率に相当する分増加させる。また、ステップＳＴ３１において判定部４１による判定のためにカウントされていた時間をリセットする。
【００７１】
尚、以上の処理により、燃焼させるボイラ２０の台数を一台減少させた後、燃焼を継続するボイラ２０が依然として下側通常運転ゾーンＺ３２又は下側第２エコ運転ゾーンＺ２２に位置している場合には、再度、ステップＳＴ３１からの処理により、燃焼させるボイラ２０の台数を更に減少させるかが判定される。
【００７２】
以上説明した本実施形態のボイラシステム１によれば、以下のような効果を奏する。
【００７３】
（１）複数のボイラ２０に、下側通常運転ゾーンＺ３２と、下側第２エコ運転ゾーンＺ２２と、第１エコ運転ゾーンＺ１と、上側第２エコ運転ゾーンＺ２１と、上側通常運転ゾーンＺ３１と、を設定した。そして、制御部４を、ボイラ２０の負荷率が上側通常運転ゾーンＺ３１に位置する状態が第１の時間Ｔ１継続した場合に、燃焼させるボイラ２０の台数を一台増加させると既に燃焼しているボイラ２０の負荷率が下側通常運転ゾーンＺ３２に位置することになるか否かを判定する判定部４１と、この判定部４１により既に燃焼しているボイラ２０の負荷率が下側通常運転ゾーンＺ３２に位置しないと判定された場合に、燃焼させるボイラの台数を一台増加させるボイラ台数制御部４２と、を含んで構成した。これにより、ボイラシステム１は、ボイラ２０の燃焼台数を増やすことで、既に燃焼しているボイラ２０がボイラ効率の低い下側通常運転ゾーンＺ３２で燃焼することになってしまう場合には、燃焼させるボイラ２０の台数を増やさない。よって、ボイラ２０の燃焼台数を増やすことで、既に燃焼しているボイラ２０をよりボイラ効率のよい状態で燃焼させられる場合に、燃焼させるボイラ２０の台数を増加させられるので、ボイラシステム１を、よりよいボイラ効率で運転させられる。
【００７４】
（２）判定部４１に、ボイラ２０の負荷率が上側通常運転ゾーンＺ３１又は上側第２エコ運転ゾーンＺ２１に位置する状態が第２の時間Ｔ２継続した場合に、燃焼させるボイラ２０の台数を一台増加させると既に燃焼しているボイラ２０の負荷率が下側通常運転ゾーンＺ３２又は下側第２エコ運転ゾーンＺ２２に位置することになるか否かを判定させた。そして、ボイラ台数制御部４２に、判定部４１により既に燃焼しているボイラ２０の負荷率が下側通常運転ゾーンＺ３２又は下側第２エコ運転ゾーンＺ２２に位置しないと判定された場合に、燃焼させるボイラ２０の台数を一台増加させた。これにより、ボイラシステム１は、ボイラ２０が主として上側第２エコ運転ゾーンＺ２１で燃焼している場合において、ボイラ２０の燃焼台数を増やすことで、既に燃焼しているボイラ２０が、ボイラ効率の向上しない下側通常運転ゾーンＺ３２又は下側第２エコ運転ゾーンＺ２２で燃焼することになってしまう場合には、燃焼させるボイラ２０の台数を増やさない。よって、ボイラ２０が上側第２エコ運転ゾーンＺ２１で燃焼している場合においても、ボイラ２０の燃焼台数を増やすことで、既に燃焼しているボイラ２０をよりボイラ効率のよい状態で燃焼させられる場合に、燃焼させるボイラ２０の台数を増加させられるので、ボイラシステム１を、よりよいボイラ効率で運転させられる。
【００７５】
（３）判定部４１に、ボイラ２０の負荷率が下側通常運転ゾーンＺ３２に位置する状態が第３の時間Ｔ３継続した場合に、燃焼させるボイラ２０の台数を一台減少させると燃焼を継続するボイラ２０の負荷率が上側通常運転ゾーンＺ３１に位置することになるか否かを判定させ、ボイラ台数制御部４２に、判定部４１により燃焼を継続するボイラ２０の負荷率が上側通常運転ゾーンＺ３１に位置しないと判定された場合に、燃焼させるボイラの台数を一台減少させた。これにより、ボイラシステム１は、ボイラ２０の燃焼台数を減らすことで、燃焼を継続するボイラ２０がボイラ効率の低い上側通常運転ゾーンＺ３１で燃焼することになってしまう場合には、燃焼させるボイラ２０の台数を減らさない。よって、ボイラ２０の燃焼台数を減らすことで、燃焼を継続するボイラ２０をよりボイラ効率のよい状態で燃焼させられる場合に、燃焼させるボイラ２０の台数を減少させられるので、ボイラシステム１を、よりよいボイラ効率で運転させられる。
【００７６】
（４）判定部４１に、ボイラ２０の負荷率が下側通常運転ゾーンＺ３２又は下側第２エコ運転ゾーンＺ２２に位置する状態が第４の時間Ｔ４継続した場合に、燃焼させるボイラ２０の台数を一台減少させると燃焼を継続するボイラ２０の負荷率が上側通常運転ゾーンＺ３１又は上側第２エコ運転ゾーンＺ２１に位置することになるか否かを判定させた。そして、ボイラ台数制御部４２に、判定部４１により燃焼を継続するボイラ２０の負荷率が上側通常運転ゾーンＺ３１又は上側第２エコ運転ゾーンＺ２１に位置しないと判定された場合に、燃焼させるボイラ２０の台数を一台減少させた。これにより、ボイラシステム１は、ボイラ２０が主として下側第２エコ運転ゾーンＺ２２で燃焼している場合において、ボイラ２０の燃焼台数を減らすことで、燃焼を継続するボイラ２０が、ボイラ効率の向上しない上側通常運転ゾーンＺ３１又は上側第２エコ運転ゾーンＺ２１で燃焼することになってしまう場合には、燃焼させるボイラ２０の台数を減らさない。よって、ボイラ２０が下側第２エコ運転ゾーンＺ２２で燃焼している場合においても、ボイラ２０の燃焼台数を減らすことで、燃焼を継続するボイラ２０をよりボイラ効率のよい状態で燃焼させられる場合に、燃焼させるボイラ２０の台数を減少させられるので、ボイラシステム１を、よりよいボイラ効率で運転させられる。
【００７７】
次に、本発明の第２実施形態に係るボイラシステム１について、図１５〜図２４を参照しながら説明する。第２実施形態のボイラシステム１は、主として、運転ゾーンの区分において第１実施形態と異なる。
尚、第２実施形態以降の説明にあたって、同一構成要件については同一符号を付し、その説明を省略もしくは簡略化する。
【００７８】
具体的には、図１５に示すように、第２実施形態では、複数のボイラ２０には、第１エコ運転ゾーンＺ１と、第２エコ運転ゾーンＺ２と、通常運転ゾーンＺ３と、が設定されている。そして、第２エコ運転ゾーンＺ２は、上側第２エコ運転ゾーンＺ２１と、下側第２エコ運転ゾーンＺ２２と、を備え、通常運転ゾーンＺ３は、上側第２エコ運転ゾーンＺ２１よりも負荷率の高い範囲に位置している。即ち、第２実施形態のボイラ２０は、負荷率の最も低い範囲に位置する下側通常運転ゾーンを備えない点で、第１実施形態と異なる。
【００７９】
第２実施形態では、制御部４（ボイラ台数制御部４２）は、ボイラ２０の負荷率が通常運転ゾーンＺ３に位置する状態が第１の時間Ｔ１継続した場合に、燃焼させるボイラ２０の台数を一台増加させる。
具体的には、図１６に示すように、１号機及び２号機の２台のボイラ２０が通常運転ゾーンＺ３の範囲で燃焼している状態が第１の時間Ｔ１継続した場合、ボイラ台数制御部４２は、図１７に示すように、３号機ボイラ２０を燃焼させると共に、１号機及び２号機のボイラ２０の負荷率をそれぞれ減少させて３台のボイラ２０を同じ負荷率で燃焼させる。
【００８０】
また、制御部４（判定部４１）は、ボイラ２０の負荷率が通常運転ゾーンＺ３又は上側第２エコ運転ゾーンＺ２１に位置する状態が第２の時間Ｔ２継続した場合に、燃焼させるボイラ２０の台数を一台増加させると既に燃焼しているボイラ２０の負荷率が下側第２エコ運転ゾーンＺ２２に位置することになるか否かを判定する。
具体的には、例えば、図１８に示すように、１号機及び２号機の２台のボイラ２０が上側第２エコ運転ゾーンＺ２１の範囲で燃焼している状態が第２の時間Ｔ２継続した場合、判定部４１は、ボイラシステム１の出力を維持した状態で１号機〜３号機の３台のボイラ２０を同じ負荷率で燃焼させると、３台のボイラ２０の負荷率が下側第２エコ運転ゾーンＺ２２に位置することになるか否かを判定する。
【００８１】
この場合、ボイラ台数制御部４２は、判定部４１により既に燃焼しているボイラ２０の負荷率が下側第２エコ運転ゾーンＺ２２に位置しないと判定された場合に、燃焼させるボイラ２０の台数を一台増加させる。
具体的には、図１９に示すように、１号機〜３号機の３台のボイラ２０を同じ負荷率で燃焼させた場合に、３台のボイラ２０の負荷率が、第１エコ運転ゾーンＺ１又は上側第２エコ運転ゾーンＺ２１に位置することになる場合（ここでは、第１エコ運転ゾーンＺ１に位置することになる）、ボイラ台数制御部４２は、３号機ボイラ２０を燃焼させると共に、１号機及び２号機のボイラ２０の負荷率をそれぞれ減少させて３台のボイラ２０を同じ負荷率で燃焼させる。
【００８２】
また、制御部４（判定部４１）は、ボイラ２０の負荷率が下側第２エコ運転ゾーンＺ２２に位置する状態が第４の時間Ｔ４継続した場合に、燃焼させるボイラ２０の台数を一台減少させると燃焼を継続するボイラ２０の負荷率が通常運転ゾーンＺ３又は上側第２エコ運転ゾーンＺ２１に位置することになるか否かを判定する。
具体的には、例えば、図２０に示すように、１号機ボイラ２０〜３号機ボイラ２０の３台のボイラ２０が下側第２エコ運転ゾーンＺ２２の範囲で燃焼している状態が第４の時間Ｔ４継続した場合、判定部４１は、燃焼を継続するボイラ２０（優先順位の高い１号機及び２号機のボイラ２０）の負荷率をそれぞれ、優先順位の低い３号機ボイラ２０の運転負荷率Ｓ５の１／２ずつ増加させた場合に、これら２台のボイラ２０の負荷率が通常運転ゾーンＺ３又は上側第２エコ運転ゾーンＺ２１に位置することになるか否かを判定する。
【００８３】
この場合、ボイラ台数制御部４２は、判定部４１により燃焼を継続するボイラ２０の負荷率が通常運転ゾーンＺ３又は上側第２エコ運転ゾーンＺ２１に位置しないと判定された場合に、燃焼させるボイラ２０の台数を一台減少させる。
具体的には、図２１に示すように、３号機ボイラ２０の燃焼を停止させ、１号機及び２号機のボイラ２０の負荷率をそれぞれ、３号機ボイラ２０の運転負荷率Ｓ４の１／２ずつ増加させた場合に、１号機及び２号機の２台のボイラ２０が、第１エコ運転ゾーンＺ１又は下側第２エコ運転ゾーンＺ２２に位置することになる場合（ここでは、第１エコ運転ゾーンＺ１に位置することになる）、ボイラ台数制御部４２は、３号機ボイラ２０の燃焼を停止させ、１号機及び２号機のボイラ２０の負荷率をそれぞれ、３号機ボイラ２０の運転負荷率Ｓ５の１／２ずつ増加させる。
【００８４】
次に、第２実施形態のボイラシステム１の動作について、図２２〜図２４を参照しながら説明する。
まず、ボイラ２０の負荷率が通常運転ゾーンＺ３に位置している場合（図１６及び図１７参照）におけるボイラシステム１の動作について、図２２を参照しながら説明する。
【００８５】
この場合、ステップＳＴ４１において、判定部４１は、ボイラ２０の負荷率が通常運転ゾーンＺ３に位置している時間が第１の時間Ｔ１継続したかを判定する。判定部４１により、通常運転ゾーンＺ３に位置している時間が第１の時間Ｔ１継続したと判定された場合、処理はステップＳＴ４２に進む。判定部４１により、通常運転ゾーンＺ３に位置している時間が第１の時間Ｔ１継続していないと判定された場合、処理はステップＳＴ４１に戻る。
【００８６】
ステップＳＴ４２において、ボイラ台数制御部４２は、燃焼させるボイラ２０の台数を一台増加させて、処理を終了する。具体的には、ボイラ台数制御部４２は、新たに燃焼を開始させるボイラ２０を所定の負荷率で燃焼させると共に、既に燃焼しているボイラ２０の負荷率を、前記所定の負荷率に相当する分減少させて、すべてのボイラ２０を同じ負荷率で燃焼させる。また、ステップＳＴ４１において判定部４１による判定のためにカウントされていた時間をリセットする。
【００８７】
尚、以上の処理により、燃焼させるボイラ２０の台数を一台増加させた後、既に燃焼しているボイラ２０が依然として通常運転ゾーンＺ３に位置している場合には、再度、ステップＳＴ４１からの処理により、燃焼させるボイラ２０の台数を更に増加させるかが判定される。
【００８８】
次に、ボイラ２０の負荷率が通常運転ゾーンＺ３又は上側第２エコ運転ゾーンＺ２１に位置している場合（図１８及び図１９参照）におけるボイラシステム１の動作について、図２３を参照しながら説明する。
【００８９】
この場合、ステップＳＴ５１において、判定部４１は、ボイラ２０の負荷率が通常運転ゾーンＺ３又は上側第２エコ運転ゾーンＺ２１に位置している時間が第２の時間Ｔ２継続したかを判定する。判定部４１により、通常運転ゾーンＺ３又は上側第２エコ運転ゾーンＺ２１に位置している時間が第２の時間Ｔ２継続したと判定された場合、処理はステップＳＴ５２に進む。判定部４１により、通常運転ゾーンＺ３又は上側第２エコ運転ゾーンＺ２１に位置している時間が第２の時間Ｔ２継続していないと判定された場合、処理はステップＳＴ５１に戻る。
【００９０】
ステップＳＴ５２において、判定部４１は、燃焼させるボイラ２０の台数を一台増加させると、既に燃焼しているボイラ２０の負荷率が下側第２エコ運転ゾーンＺ２２に位置することになるか否かを判定する。具体的には、判定部４１は、新たに燃焼を開始させるボイラ２０を含む、燃焼させるすべてのボイラ２０を同じ負荷率で燃焼させた場合に、ボイラ２０の負荷率が下側第２エコ運転ゾーンＺ２２に位置することになるか否かを判定する。判定部４１により、ボイラ２０の負荷率が下側第２エコ運転ゾーンＺ２２に位置することにはならないと判定された場合、処理はステップＳＴ５３に進む。判定部４１により、ボイラ２０の負荷率が下側第２エコ運転ゾーンＺ２２に位置することになると判定された場合、処理はステップＳＴ５１に戻る。
【００９１】
ステップＳＴ５３において、ボイラ台数制御部４２は、燃焼させるボイラ２０の台数を一台増加させて、処理を終了する。具体的には、ボイラ台数制御部４２は、新たに燃焼を開始させるボイラ２０を所定の負荷率で燃焼させると共に、既に燃焼しているボイラ２０の負荷率を、前記所定の負荷率に相当する分減少させて、すべてのボイラ２０を同じ負荷率で燃焼させる。また、ステップＳＴ５１において判定部４１による判定のためにカウントされていた時間をリセットする。
【００９２】
尚、以上の処理により、燃焼させるボイラ２０の台数を一台増加させた後、既に燃焼しているボイラ２０が依然として通常運転ゾーンＺ３又は上側第２エコ運転ゾーンＺ２１に位置している場合には、再度、ステップＳＴ５１からの処理により、燃焼させるボイラ２０の台数を更に増加させるかが判定される。
【００９３】
次に、ボイラ２０の負荷率が下側第２エコ運転ゾーンＺ２２に位置している場合（図２０及び図２１参照）におけるボイラシステム１の動作について、図２４を参照しながら説明する。
【００９４】
この場合、ステップＳＴ６１において、判定部４１は、ボイラ２０の負荷率が下側第２エコ運転ゾーンＺ２２に位置している時間が第４の時間Ｔ４継続したかを判定する。判定部４１により、下側第２エコ運転ゾーンＺ２２に位置している時間が第４の時間Ｔ４継続したと判定された場合、処理はステップＳＴ６２に進む。判定部４１により、下側第２エコ運転ゾーンＺ２２に位置している時間が第４の時間Ｔ４継続していないと判定された場合、処理はステップＳＴ６１に戻る。
【００９５】
ステップＳＴ６２において、判定部４１は、燃焼させるボイラ２０の台数を一台減少させると、燃焼を継続するボイラ２０の負荷率が通常運転ゾーンＺ３又は上側第２エコ運転ゾーンＺ２１に位置することになるか否かを判定する。具体的には、判定部４１は、燃焼を継続するボイラ２０の負荷率を、燃焼を停止させるボイラ２０の運転負荷率に相当する分増加させた場合に、燃焼を継続するボイラ２０の負荷率が通常運転ゾーンＺ３又は上側第２エコ運転ゾーンＺ２１に位置することになるか否かを判定する。判定部４１により、燃焼を継続するボイラ２０の負荷率が通常運転ゾーンＺ３又は上側第２エコ運転ゾーンＺ２１に位置することにはならないと判定された場合、処理はステップＳＴ６３に進む。判定部４１により、燃焼を継続するボイラ２０の負荷率が通常運転ゾーンＺ３又は上側第２エコ運転ゾーンＺ２１に位置することになると判定された場合、処理はステップＳＴ６１に戻る。
【００９６】
ステップＳＴ６３において、ボイラ台数制御部４２は、燃焼させるボイラ２０の台数を一台減少させて、処理を終了する。具体的には、ボイラ台数制御部４２は、一台のボイラ２０の燃焼を停止させ、燃焼を継続するボイラ２０の負荷率を、燃焼を停止させるボイラ２０の運転負荷率に相当する分増加させる。また、ステップＳＴ６１において判定部４１による判定のためにカウントされていた時間をリセットする。
【００９７】
尚、以上の処理により、燃焼させるボイラ２０の台数を一台減少させた後、燃焼を継続するボイラ２０が依然として下側第２エコ運転ゾーンＺ２２に位置している場合には、再度、ステップＳＴ６１からの処理により、燃焼させるボイラ２０の台数を更に減少させるかが判定される。
【００９８】
次に、本発明の第３実施形態に係るボイラシステム１について、図２５〜図３４を参照しながら説明する。
第３実施形態では、図２５に示すように、複数のボイラ２０には、第１エコ運転ゾーンＺ１と、第２エコ運転ゾーンＺ２と、通常運転ゾーンＺ３と、が設定されている。そして、第２エコ運転ゾーンＺ２は、上側第２エコ運転ゾーンＺ２１と、下側第２エコ運転ゾーンＺ２２と、を備え、通常運転ゾーンＺ３は、下側第２エコ運転ゾーンＺ２２よりも負荷率の低い範囲に位置している。即ち、第３実施形態のボイラ２０は、負荷率の最も高い範囲に位置する上側通常運転ゾーンを備えない点で、第１実施形態と異なる。
【００９９】
第３実施形態では、制御部４（ボイラ台数制御部４２）は、ボイラ２０の負荷率が通常運転ゾーンＺ３に位置する状態が第３の時間Ｔ３継続した場合に、燃焼させるボイラ２０の台数を一台減少させる。
具体的には、図２６に示すように、１号機ボイラ２０〜３号機ボイラ２０の３台のボイラ２０が通常運転ゾーンＺ３の範囲で燃焼している状態が第３の時間Ｔ３継続した場合、ボイラ台数制御部４２は、図２７に示すように、３号機ボイラ２０の燃焼を停止させ、１号機及び２号機のボイラ２０の負荷率をそれぞれ、３号機ボイラ２０の運転負荷率Ｓ６の１／２ずつ増加させる。
【０１００】
また、制御部４（判定部４１）は、ボイラ２０の負荷率が通常運転ゾーンＺ３又は下側第２エコ運転ゾーンＺ２２に位置する状態が第３の時間Ｔ３よりも長い第４の時間Ｔ４継続した場合に、燃焼させるボイラ２０の台数を一台減少させると燃焼を継続するボイラ２０の負荷率が上側第２エコ運転ゾーンＺ２１に位置することになるか否かを判定する。
具体的には、例えば、図２８に示すように、１号機ボイラ２０〜３号機ボイラ２０の３台のボイラ２０が下側第２エコ運転ゾーンＺ２２の範囲で燃焼している状態が第４の時間Ｔ４継続した場合、判定部４１は、燃焼を継続するボイラ２０（優先順位の高い１号機及び２号機のボイラ２０）の負荷率をそれぞれ、優先順位の低い３号機ボイラ２０の運転負荷率Ｓ７の１／２ずつ増加させた場合に、これら２台のボイラ２０の負荷率が上側第２エコ運転ゾーンＺ２１に位置することになるか否かを判定する。
【０１０１】
この場合、制御部４（ボイラ台数制御部４２）は、判定部４１により燃焼を継続するボイラ２０の負荷率が上側第２エコ運転ゾーンＺ２１に位置しないと判定された場合に、燃焼させるボイラ２０の台数を一台減少させる。
具体的には、図２９に示すように、３号機ボイラ２０の燃焼を停止させ、１号機及び２号機のボイラ２０の負荷率をそれぞれ、３号機ボイラ２０の運転負荷率Ｓ７の１／２ずつ増加させた場合に、１号機及び２号機の２台のボイラ２０が、第１エコ運転ゾーンＺ１又は下側第２エコ運転ゾーンＺ２２に位置することになる場合（ここでは、第１エコ運転ゾーンＺ１に位置することになる）、ボイラ台数制御部４２は、３号機ボイラ２０の燃焼を停止させ、１号機及び２号機のボイラ２０の負荷率をそれぞれ、３号機ボイラ２０の運転負荷率Ｓ７の１／２ずつ増加させる。
【０１０２】
また、制御部４（判定部４１）は、ボイラ２０の負荷率が上側第２エコ運転ゾーンＺ２１に位置する状態が第１の時間Ｔ１よりも長い第２の時間Ｔ２継続した場合に、燃焼させるボイラの台数を一台増加させると既に燃焼しているボイラ２０の負荷率が通常運転ゾーンＺ３又は下側第２エコ運転ゾーンＺ２２に位置することになるか否かを判定する。
具体的には、例えば、図３０に示すように、１号機及び２号機の２台のボイラ２０が上側第２エコ運転ゾーンＺ２１の範囲で燃焼している状態が第２の時間Ｔ２継続した場合、判定部４１は、ボイラシステム１の出力を維持した状態で１号機〜３号機の３台のボイラ２０を同じ負荷率で燃焼させると、３台のボイラ２０の負荷率が通常運転ゾーンＺ３又は下側第２エコ運転ゾーンＺ２２に位置することになるか否かを判定する。
【０１０３】
この場合、ボイラ台数制御部４２は、判定部４１により既に燃焼しているボイラ２０の負荷率が通常運転ゾーンＺ３又は下側第２エコ運転ゾーンＺ２２に位置しないと判定された場合に、燃焼させるボイラ２０の台数を一台増加させる。
具体的には、図３１に示すように、１号機〜３号機の３台のボイラ２０を同じ負荷率で燃焼させた場合に、３台のボイラ２０の負荷率が、第１エコ運転ゾーンＺ１又は上側第２エコ運転ゾーンＺ２１に位置することになる場合（ここでは、第１エコ運転ゾーンＺ１に位置することになる）、ボイラ台数制御部４２は、３号機ボイラ２０を燃焼させると共に、１号機及び２号機のボイラ２０の負荷率をそれぞれ減少させて３台のボイラ２０を同じ負荷率で燃焼させる。
【０１０４】
次に、第３実施形態のボイラシステム１の動作について、図３２〜図３４を参照しながら説明する。
まず、ボイラ２０の負荷率が通常運転ゾーンＺ３に位置している場合（図２６及び図２７参照）におけるボイラシステム１の動作について、図３２を参照しながら説明する。
【０１０５】
この場合、ステップＳＴ７１において、判定部４１は、ボイラ２０の負荷率が通常運転ゾーンＺ３に位置している時間が第３の時間Ｔ３継続したかを判定する。判定部４１により、通常運転ゾーンＺ３に位置している時間が第３の時間Ｔ３継続したと判定された場合、処理はステップＳＴ７２に進む。判定部４１により、通常運転ゾーンＺ３に位置している時間が第３の時間Ｔ３継続していないと判定された場合、処理はステップＳＴ７１に戻る。
【０１０６】
ステップＳＴ７２において、ボイラ台数制御部４２は、燃焼させるボイラ２０の台数を一台減少させて、処理を終了する。具体的には、ボイラ台数制御部４２は、一台のボイラ２０の燃焼を停止させ、燃焼を継続するボイラ２０の負荷率を、燃焼を停止させるボイラ２０の運転負荷率に相当する分増加させる。また、ステップＳＴ７１において判定部４１による判定のためにカウントされていた時間をリセットする。
【０１０７】
尚、以上の処理により、燃焼させるボイラ２０の台数を一台減少させた後、燃焼を継続するボイラ２０が依然として通常運転ゾーンＺ３に位置している場合には、再度、ステップＳＴ７１からの処理により、燃焼させるボイラ２０の台数を更に減少させるかが判定される。
【０１０８】
次に、ボイラ２０の負荷率が通常運転ゾーンＺ３又は下側第２エコ運転ゾーンＺ２２に位置している場合（図２８及び図２９参照）におけるボイラシステム１の動作について、図３３を参照しながら説明する。
【０１０９】
この場合、ステップＳＴ８１において、判定部４１は、ボイラ２０の負荷率が通常運転ゾーンＺ３又は下側第２エコ運転ゾーンＺ２２に位置している時間が第４の時間Ｔ４継続したかを判定する。判定部４１により、通常運転ゾーンＺ３又は下側第２エコ運転ゾーンＺ２２に位置している時間が第４の時間Ｔ４継続したと判定された場合、処理はステップＳＴ８２に進む。判定部４１により、通常運転ゾーンＺ３又は下側第２エコ運転ゾーンＺ２２に位置している時間が第４の時間Ｔ４継続していないと判定された場合、処理はステップＳＴ８１に戻る。
【０１１０】
ステップＳＴ８２において、判定部４１は、燃焼させるボイラ２０の台数を一台減少させると、燃焼を継続するボイラ２０の負荷率が上側第２エコ運転ゾーンＺ２１に位置することになるか否かを判定する。具体的には、判定部４１は、燃焼を継続するボイラ２０の負荷率を、燃焼を停止させるボイラ２０の運転負荷率に相当する分増加させた場合に、燃焼を継続するボイラ２０の負荷率が上側第２エコ運転ゾーンＺ２１に位置することになるか否かを判定する。判定部４１により、燃焼を継続するボイラ２０の負荷率が上側第２エコ運転ゾーンＺ２１に位置することにはならないと判定された場合、処理はステップＳＴ８３に進む。判定部４１により、燃焼を継続するボイラ２０の負荷率が上側第２エコ運転ゾーンＺ２１に位置することになると判定された場合、処理はステップＳＴ８１に戻る。
【０１１１】
ステップＳＴ８３において、ボイラ台数制御部４２は、燃焼させるボイラ２０の台数を一台減少させて、処理を終了する。具体的には、ボイラ台数制御部４２は、一台のボイラ２０の燃焼を停止させ、燃焼を継続するボイラ２０の負荷率を、燃焼を停止させるボイラ２０の運転負荷率に相当する分増加させる。また、ステップＳＴ８１において判定部４１による判定のためにカウントされていた時間をリセットする。
【０１１２】
尚、以上の処理により、燃焼させるボイラ２０の台数を一台減少させた後、燃焼を継続するボイラ２０が依然として通常運転ゾーンＺ３又は下側第２エコ運転ゾーンＺ２２に位置している場合には、再度、ステップＳＴ８１からの処理により、燃焼させるボイラ２０の台数を更に減少させるかが判定される。
【０１１３】
次に、ボイラ２０の負荷率が上側第２エコ運転ゾーンＺ２１に位置している場合（図３０及び図３１参照）におけるボイラシステム１の動作について、図３４を参照しながら説明する。
【０１１４】
この場合、ステップＳＴ９１において、判定部４１は、ボイラ２０の負荷率が上側第２エコ運転ゾーンＺ２１に位置している時間が第２の時間Ｔ２継続したかを判定する。判定部４１により、上側第２エコ運転ゾーンＺ２１に位置している時間が第２の時間Ｔ２継続したと判定された場合、処理はステップＳＴ９２に進む。判定部４１により、上側第２エコ運転ゾーンＺ２１に位置している時間が第２の時間Ｔ２継続していないと判定された場合、処理はステップＳＴ９１に戻る。
【０１１５】
ステップＳＴ９２において、判定部４１は、燃焼させるボイラ２０の台数を一台増加させると、既に燃焼しているボイラ２０の負荷率が通常運転ゾーンＺ３又は下側第２エコ運転ゾーンＺ２２に位置することになるか否かを判定する。具体的には、判定部４１は、新たに燃焼を開始させるボイラ２０を含む、燃焼させるすべてのボイラ２０を同じ負荷率で燃焼させた場合に、ボイラ２０の負荷率が通常運転ゾーンＺ３又は下側第２エコ運転ゾーンＺ２２に位置することになるか否かを判定する。判定部４１により、ボイラ２０の負荷率が通常運転ゾーンＺ３又は下側第２エコ運転ゾーンＺ２２に位置することにはならないと判定された場合、処理はステップＳＴ９３に進む。判定部４１により、ボイラ２０の負荷率が通常運転ゾーンＺ３又は下側第２エコ運転ゾーンＺ２２に位置することになると判定された場合、処理はステップＳＴ９１に戻る。
【０１１６】
ステップＳＴ９３において、ボイラ台数制御部４２は、燃焼させるボイラ２０の台数を一台増加させて、処理を終了する。具体的には、ボイラ台数制御部４２は、新たに燃焼を開始させるボイラ２０を所定の負荷率で燃焼させると共に、既に燃焼しているボイラ２０の負荷率を、前記所定の負荷率に相当する分減少させて、すべてのボイラ２０を同じ負荷率で燃焼させる。また、ステップＳＴ９１において判定部４１による判定のためにカウントされていた時間をリセットする。
【０１１７】
尚、以上の処理により、燃焼させるボイラ２０の台数を一台増加させた後、既に燃焼しているボイラ２０が依然として上側第２エコ運転ゾーンＺ２１に位置している場合には、再度、ステップＳＴ９１からの処理により、燃焼させるボイラ２０の台数を更に増加させるかが判定される。
【０１１８】
次に、本発明の第４実施形態に係るボイラシステム１について、図３５〜図４１を参照しながら説明する。
第４実施形態では、複数のボイラ２０には、図３５に示すように、第１エコ運転ゾーンＺ１と、第２エコ運転ゾーンＺ２と、通常運転ゾーンＺ３と、の３つの運転ゾーンが設定されている。そして、第２エコ運転ゾーンＺ２は、第１エコ運転ゾーンＺ１よりも負荷率の低い範囲に位置し、通常運転ゾーンＺ３は、第２エコ運転ゾーンＺ２よりも負荷率の低い範囲に位置している。即ち、第４実施形態では、複数のボイラ２０は、負荷率の高い範囲において最もボイラ効率が高くなり、負荷率が低くなるに従ってボイラ効率も低くなるボイラ特性を有している。
【０１１９】
そして、第４実施形態では、制御部４（ボイラ台数制御部４２）は、ボイラ２０の負荷率が通常運転ゾーンＺ３に位置する状態が第３の時間Ｔ３継続した場合、燃焼させるボイラ２０の台数を一台減少させる。
具体的には、図３６に示すように、３号機ボイラ２０の負荷率が通常運転ゾーンＺ３に位置する状態が第３の時間Ｔ３継続した場合、ボイラ台数制御部４２は、図３７に示すように、３号機ボイラ２０の燃焼を停止させ、１号機及び２号機のボイラ２０の負荷率をそれぞれ、３号機ボイラ２０の運転負荷率Ｓ８の１／２ずつ増加させる。
【０１２０】
また、制御部４（ボイラ台数制御部４２）は、ボイラ２０の負荷率が通常運転ゾーンＺ３又は第２エコ運転ゾーンＺ２に位置する状態が第３の時間Ｔ３よりも長い第４の時間Ｔ４継続した場合に、燃焼させるボイラ２０の台数を一台減少させる。
具体的には、例えば、図３８に示すように、１号機ボイラ２０〜３号機ボイラ２０の３台のボイラ２０が通常運転ゾーンＺ３又は第２エコ運転ゾーンＺ２の範囲で燃焼している状態が第４の時間Ｔ４継続した場合、ボイラ台数制御部４２は、図３９に示すように、３号機ボイラ２０の燃焼を停止させ、１号機及び２号機のボイラ２０の負荷率をそれぞれ、３号機ボイラ２０の運転負荷率Ｓ９の１／２ずつ増加させる。
【０１２１】
次に、第４実施形態のボイラシステム１の動作について、図４０及び図４１を参照しながら説明する。
まず、ボイラ２０の負荷率が通常運転ゾーンＺ３に位置している場合（図３６及び図３７参照）におけるボイラシステム１の動作について、図４０を参照しながら説明する。
【０１２２】
この場合、ステップＳＴ１０１において、判定部４１は、ボイラ２０の負荷率が通常運転ゾーンＺ３に位置している時間が第３の時間Ｔ３継続したかを判定する。判定部４１により、通常運転ゾーンＺ３に位置している時間が第３の時間Ｔ３継続したと判定された場合、処理はステップＳＴ１０２に進む。判定部４１により、通常運転ゾーンＺ３に位置している時間が第３の時間Ｔ３継続していないと判定された場合、処理はステップＳＴ１０１に戻る。
【０１２３】
ステップＳＴ１０２において、ボイラ台数制御部４２は、燃焼させるボイラ２０の台数を一台減少させて、処理を終了する。具体的には、ボイラ台数制御部４２は、一台のボイラ２０の燃焼を停止させ、燃焼を継続するボイラ２０の負荷率を、燃焼を停止させるボイラ２０の運転負荷率に相当する分増加させる。また、ステップＳＴ１０１において判定部４１による判定のためにカウントされていた時間をリセットする。
【０１２４】
尚、以上の処理により、燃焼させるボイラ２０の台数を一台減少させた後、燃焼を継続するボイラ２０が依然として通常運転ゾーンＺ３に位置している場合には、再度、ステップＳＴ１０１からの処理により、燃焼させるボイラ２０の台数を更に減少させるかが判定される。
【０１２５】
次に、ボイラ２０の負荷率が通常運転ゾーンＺ３又は第２エコ運転ゾーンＺ２に位置している場合（図３８及び図３９参照）におけるボイラシステム１の動作について、図４１を参照しながら説明する。
【０１２６】
この場合、ステップＳＴ１１１において、判定部４１は、ボイラ２０の負荷率が通常運転ゾーンＺ３又は第２エコ運転ゾーンＺ２に位置している時間が第４の時間Ｔ４継続したかを判定する。判定部４１により、通常運転ゾーンＺ３又は第２エコ運転ゾーンＺ２に位置している時間が第４の時間Ｔ４継続したと判定された場合、処理はステップＳＴ１１２に進む。判定部４１により、通常運転ゾーンＺ３又は第２エコ運転ゾーンＺ２に位置している時間が第４の時間Ｔ４継続していないと判定された場合、処理はステップＳＴ１１１に戻る。
【０１２７】
ステップＳＴ１１２において、ボイラ台数制御部４２は、燃焼させるボイラ２０の台数を一台減少させて、処理を終了する。具体的には、ボイラ台数制御部４２は、一台のボイラ２０の燃焼を停止させ、燃焼を継続するボイラ２０の負荷率を、燃焼を停止させるボイラ２０の運転負荷率に相当する分増加させる。また、ステップＳＴ１１１において判定部４１による判定のためにカウントされていた時間をリセットする。
【０１２８】
尚、以上の処理により、燃焼させるボイラ２０の台数を一台減少させた後、燃焼を継続するボイラ２０が依然として通常運転ゾーンＺ３又は第２エコ運転ゾーンＺ２に位置している場合には、再度、ステップＳＴ１１１からの処理により、燃焼させるボイラ２０の台数を更に減少させるかが判定される。
【０１２９】
次に、本発明の第５実施形態に係るボイラシステム１について、図４２〜図４８を参照しながら説明する。
第５実施形態では、複数のボイラ２０には、図４２に示すように、第１エコ運転ゾーンＺ１と、第２エコ運転ゾーンＺ２と、通常運転ゾーンＺ３と、の３つの運転ゾーンが設定されている。そして、第２エコ運転ゾーンＺ２は、第１エコ運転ゾーンＺ１よりも負荷率の高い範囲に位置し、通常運転ゾーンＺ３は、第２エコ運転ゾーンＺ２よりも負荷率の高い範囲に位置している。即ち、第５実施形態では、複数のボイラ２０は、負荷率の低い範囲において最もボイラ効率が高くなり、負荷率が高くなるに従ってボイラ効率が低くなるボイラ特性を有している。
【０１３０】
そして、第５実施形態では、ボイラ台数制御部４２は、ボイラ２０の負荷率が通常運転ゾーンＺ３に位置する状態が第１の時間Ｔ１継続した場合、燃焼させるボイラ２０の台数を一台増加させる。
具体的には、図４３に示すように、１号機及び２号機の２台のボイラ２０が通常運転ゾーンＺ３の範囲で燃焼している状態が第１の時間Ｔ１継続した場合、ボイラ台数制御部４２は、図４４に示すように、３号機ボイラ２０を燃焼させると共に、１号機及び２号機のボイラ２０の負荷率をそれぞれ減少させて３台のボイラ２０を同じ負荷率で燃焼させる。
【０１３１】
また、制御部４（判定部４１）は、ボイラ２０の負荷率が通常運転ゾーンＺ３又は第２エコ運転ゾーンＺ２に位置する状態が第２の時間Ｔ２継続した場合にも、燃焼させるボイラ２０の台数を一台増加させる。
具体的には、図４５に示すように、１号機及び２号機の２台のボイラ２０が通常運転ゾーンＺ３又は第２エコ運転ゾーンＺ２の範囲で燃焼している状態が第２の時間Ｔ２継続した場合、ボイラ台数制御部４２は、図４６に示すように、３号機ボイラ２０を燃焼させると共に、１号機及び２号機のボイラ２０の負荷率をそれぞれ減少させて３台のボイラ２０を同じ負荷率で燃焼させる。
【０１３２】
次に、第５実施形態のボイラシステム１の動作について、図４７及び図４８を参照しながら説明する。
まず、ボイラ２０の負荷率が通常運転ゾーンＺ３に位置している場合（図４３及び図４４参照）におけるボイラシステム１の動作について、図４７を参照しながら説明する。
【０１３３】
この場合、ステップＳＴ１２１において、判定部４１は、ボイラ２０の負荷率が通常運転ゾーンＺ３に位置している時間が第１の時間Ｔ１継続したかを判定する。判定部４１により、通常運転ゾーンＺ３に位置している時間が第１の時間Ｔ１継続したと判定された場合、処理はステップＳＴ１２２に進む。判定部４１により、通常運転ゾーンＺ３に位置している時間が第１の時間Ｔ１継続していないと判定された場合、処理はステップＳＴ１２１に戻る。
【０１３４】
ステップＳＴ１２２において、ボイラ台数制御部４２は、燃焼させるボイラ２０の台数を一台増加させて、処理を終了する。具体的には、ボイラ台数制御部４２は、新たに燃焼を開始させるボイラ２０を所定の負荷率で燃焼させると共に、既に燃焼しているボイラ２０の負荷率を、前記所定の負荷率に相当する分減少させて、すべてのボイラ２０を同じ負荷率で燃焼させる。また、ステップＳＴ１２１において判定部４１による判定のためにカウントされていた時間をリセットする。
【０１３５】
尚、以上の処理により、燃焼させるボイラ２０の台数を一台増加させた後、既に燃焼しているボイラ２０が依然として通常運転ゾーンＺ３に位置している場合には、再度、ステップＳＴ１２１からの処理により、燃焼させるボイラ２０の台数を更に増加させるかが判定される。
【０１３６】
次に、ボイラ２０の負荷率が通常運転ゾーンＺ３又は第２エコ運転ゾーンＺ２に位置している場合（図４５及び図４６参照）におけるボイラシステム１の動作について、図４８を参照しながら説明する。
【０１３７】
この場合、ステップＳＴ１３１において、判定部４１は、ボイラ２０の負荷率が通常運転ゾーンＺ３又は第２エコ運転ゾーンＺ２に位置している時間が第２の時間Ｔ２継続したかを判定する。判定部４１により、通常運転ゾーンＺ３又は第２エコ運転ゾーンＺ２に位置している時間が第２の時間Ｔ２継続したと判定された場合、処理はステップＳＴ１３２に進む。判定部４１により、通常運転ゾーンＺ３又は第２エコ運転ゾーンＺ２に位置している時間が第２の時間Ｔ２継続していないと判定された場合、処理はステップＳＴ１３１に戻る。
【０１３８】
ステップＳＴ１３２において、ボイラ台数制御部４２は、燃焼させるボイラ２０の台数を一台増加させて、処理を終了する。具体的には、ボイラ台数制御部４２は、新たに燃焼を開始させるボイラ２０を所定の負荷率で燃焼させると共に、既に燃焼しているボイラ２０の負荷率を、前記所定の負荷率に相当する分減少させて、すべてのボイラ２０を同じ負荷率で燃焼させる。また、ステップＳＴ１３１において判定部４１による判定のためにカウントされていた時間をリセットする。
【０１３９】
尚、以上の処理により、燃焼させるボイラ２０の台数を一台増加させた後、既に燃焼しているボイラ２０が依然として通常運転ゾーンＺ３又は第２エコ運転ゾーンＺ２に位置している場合には、再度、ステップＳＴ１３１からの処理により、燃焼させるボイラ２０の台数を更に増加させるかが判定される。
【０１４０】
以上説明した第２実施形態〜第５実施形態のボイラシステムによれば、第１実施形態と同様の効果を奏する。
【０１４１】
以上、本発明のボイラシステム１の好ましい各実施形態につき説明したが、本発明は、上述の実施形態に制限されるものではなく、適宜変更が可能である。
例えば、本実施形態では、燃焼させるボイラ２０の台数を増加させる場合、新たに燃焼させるボイラ２０を含む、燃焼させるすべてのボイラ２０を同じ負荷率で燃焼させたが、これに限らない。即ち、燃焼させるボイラ２０の台数を増加させる場合、新たに燃焼させるボイラ２０を最小負荷率で燃焼させてもよい。これにより、燃焼させるボイラ２０の台数を増加させた場合に、既に燃焼しているボイラ２０の負荷率が減少する量を少なくできる。よって、燃焼させるボイラ２０の台数を増加させた場合におけるボイラ２０の負荷率の急激な変動を防げるので、ボイラ群２の燃焼状態の安定性を向上でき、ボイラ群２により出力される蒸気の圧力変動が生じることを抑制できる。
【０１４２】
また、燃焼させるボイラ２０の台数を増加させる場合、新たに燃焼させるボイラ２０を下側第２エコ運転ゾーンＺ２２の範囲の負荷率で燃焼させてもよい。これにより、燃焼させるボイラ２０の台数を増加させた場合に、新たに燃焼を開始するボイラ２０を、下側第２エコ運転ゾーンＺ２２で燃焼させられるので、ボイラシステム１のボイラ効率を向上させられる。
【０１４３】
また、本実施形態では、燃焼しているすべてのボイラ２０の負荷率が下側通常運転ゾーンＺ３２に位置する状態が第３の時間Ｔ３継続した場合に、燃焼させるボイラ２０の台数を減少させるかを判定したが、これに限らない。即ち、燃焼しているボイラ２０のうちのいずれかのボイラ２０の負荷率が下側通常運転ゾーンＺ３２に位置する状態が第３の時間Ｔ３継続した場合に、燃焼させるボイラ２０の台数を減少させるかを判定してもよい。
【０１４４】
また、本実施形態では、本発明を、５台のボイラ２０からなるボイラ群２を備えるボイラシステムに適用したが、これに限らない。即ち、本発明を、６台以上のボイラからなるボイラ群を備えるボイラシステムに適用してもよく、また、２台のボイラからなるボイラ群を備えるボイラシステムに適用してもよい。
【０１４５】
また、本実施形態では、ボイラ２０を、燃焼停止状態Ｓ０と最小燃焼状態Ｓ１との間の燃焼状態の変更をボイラ２０の燃焼をオン／オフすることで制御し、最小燃焼状態Ｓ１から最大燃焼状態Ｓ２の範囲においては燃焼量を連続的に制御可能な比例制御ボイラ２０により構成したが、これに限らない。即ち、ボイラを、燃焼停止状態から最大燃焼状態の範囲すべてにおいて、燃焼量を連続的に制御可能な比例制御ボイラにより構成してもよい。
【符号の説明】
【０１４６】
１  ボイラシステム
２  ボイラ群
４  制御部
２０  ボイラ
４１  判定部
４２  ボイラ台数制御部
Ｚ１  第１エコ運転ゾーン
Ｚ２  第２エコ運転ゾーン
Ｚ３  通常運転ゾーン
Ｚ２１  上側第２エコ運転ゾーン
Ｚ２２  下側第２エコ運転ゾーン
Ｚ３１  上側通常運転ゾーン
Ｚ３２  上側通常運転ゾーン
【図１】
2014098503.tif 000003
【図２】
2014098503.tif 000004
【図３】
2014098503.tif 000005
【図４】
2014098503.tif 000006
【図５】
2014098503.tif 000007
【図６】
2014098503.tif 000008
【図７】
2014098503.tif 000009
【図８】
2014098503.tif 000010
【図９】
2014098503.tif 000011
【図１０】
2014098503.tif 000012
【図１１】
2014098503.tif 000013
【図１２】
2014098503.tif 000014
【図１３】
2014098503.tif 000015
【図１４】
2014098503.tif 000016
【図１５】
2014098503.tif 000017
【図１６】
2014098503.tif 000018
【図１７】
2014098503.tif 000019
【図１８】
2014098503.tif 000020
【図１９】
2014098503.tif 000021
【図２０】
2014098503.tif 000022
【図２１】
2014098503.tif 000023
【図２２】
2014098503.tif 000024
【図２３】
2014098503.tif 000025
【図２４】
2014098503.tif 000026
【図２５】
2014098503.tif 000027
【図２６】
2014098503.tif 000028
【図２７】
2014098503.tif 000029
【図２８】
2014098503.tif 000030
【図２９】
2014098503.tif 000031
【図３０】
2014098503.tif 000032
【図３１】
2014098503.tif 000033
【図３２】
2014098503.tif 000034
【図３３】
2014098503.tif 000035
【図３４】
2014098503.tif 000036
【図３５】
2014098503.tif 000037
【図３６】
2014098503.tif 000038
【図３７】
2014098503.tif 000039
【図３８】
2014098503.tif 000040
【図３９】
2014098503.tif 000041
【図４０】
2014098503.tif 000042
【図４１】
2014098503.tif 000043
【図４２】
2014098503.tif 000044
【図４３】
2014098503.tif 000045
【図４４】
2014098503.tif 000046
【図４５】
2014098503.tif 000047
【図４６】
2014098503.tif 000048
【図４７】
2014098503.tif 000049
【図４８】
2014098503.tif 000050